(57)【特許請求の範囲】
【請求項１】
端末により、ネットワークデバイスによって送信されたビーム構成情報を受信する段階であって、前記ビーム構成情報は、前記端末に対し、第１のビームを用いて信号を伝送または受信するよう命令するために用いられる、段階と、
前記端末により、第１の時点から開始する第１の予め設定された持続期間が期限切れになるとき、少なくとも前記第１のビームを用いて前記信号を伝送または受信する段階であって、前記第１の時点は、前記端末が、前記ビーム構成情報に対する肯定応答（ＡＣＫ）メッセージを前記ネットワークデバイスに送信する時点であり、前記第１の予め設定された持続期間は、システムパラメータに基づいて定められるスロット数に基づく、段階と、を備える、ビーム構成方法。
【請求項２】
前記第１の時点は、前記端末が前記ビーム構成情報に対する前記肯定応答（ＡＣＫ）メッセージを前記ネットワークデバイスに送信する上りリンクスロット（ｙ）である、または、前記端末が前記ビーム構成情報に対する前記肯定応答（ＡＣＫ）メッセージを前記ネットワークデバイスに送信する上りリンクスロット（ｚ）に対応する下りリンクスロット（ｙ）である、請求項１に記載のビーム構成方法。
【請求項３】
前記端末は、前記上りリンクスロット（ｙ）においてタイマーを開始し、および前記第１の予め設定された持続期間は前記タイマーの長さであり、ｘミリ秒またはｍ個の上りリンクスロットであり、ｍは正の整数である、または、
前記端末は、前記下りリンクスロット（ｙ）において前記タイマーを開始し、および前記第１の予め設定された持続期間は前記タイマーの長さであり、ｘミリ秒またはｍ個の下りリンクスロットであり、ｍは正の整数である、請求項２に記載のビーム構成方法。
【請求項４】
前記信号が前記第１のビームを用いて伝送または受信される時点は、
【数７２】
0006951025.tif 000166
であり、
【数７３】
0006951025.tif 000167
は上りリンクスロット（ｙ）を示し、前記第１の時点であり、
【数７４】
0006951025.tif 000168
は前記第１の予め設定された持続期間であり、
【数１５９】
0006951025.tif 000169
は１サブフレーム内の前記スロット数であり、μは前記システムパラメータであり、
【数１５９】
0006951025.tif 000170
はμにより定められ、
【数７５】
0006951025.tif 000171
は、前記端末が前記肯定応答（ＡＣＫ）メッセージを前記ネットワークデバイスに送信するために用いる上りリンクキャリアコンポーネント、上りリンク帯域幅部分または上りリンクフレームの前記システムパラメータ
【数７６】
0006951025.tif 000172
である、請求項１に記載のビーム構成方法。
【請求項５】
前記端末が前記第１のビームを用いて前記信号を伝送または受信する時点は、
【数７７】
0006951025.tif 000173
であり、
【数７８】
0006951025.tif 000174
は下りリンクスロット（ｙ）を示し、前記第１の時点であり、
【数７９】
0006951025.tif 000175
は、前記端末が前記ビーム構成情報に対する前記肯定応答（ＡＣＫ）メッセージを前記ネットワークデバイスに送信する上りリンクスロット（ｚ）の番号であり、
【数８０】
0006951025.tif 000176
は、前記端末が物理下りリンク共有チャネルを受信するために用いる下りリンクキャリアコンポーネント、下りリンク帯域幅部分または下りリンクフレームのシステムパラメータであり、
【数８１】
0006951025.tif 000177
は、前記端末が前記肯定応答（ＡＣＫ）メッセージを前記ネットワークデバイスに送信するために用いる上りリンクキャリアコンポーネント、上りリンク帯域幅部分または上りリンクフレームのシステムパラメータであり、
【数８２】
0006951025.tif 000178
は、
【数８３】
0006951025.tif 000179
の結果の切り捨てを示し、
【数８４】
0006951025.tif 000180
は前記第１の予め設定された持続期間であり、
【数１５９】
0006951025.tif 000181
は１サブフレーム内の前記スロット数であり、μは前記システムパラメータであり、
【数１５９】
0006951025.tif 000182
はμにより定められ、
【数８５】
0006951025.tif 000183
は、前記物理下りリンク共有チャネルを受信するために用いられる前記下りリンクキャリアコンポーネント、前記下りリンク帯域幅部分または前記下りリンクフレームの前記システムパラメータ
【数８６】
0006951025.tif 000184
である、請求項１に記載のビーム構成方法。
【請求項６】
前記信号は、下りリンク制御チャネル情報または上りリンク制御チャネル情報または上りリンクサウンディング信号を含む、請求項１に記載のビーム構成方法。
【請求項７】
前記端末が前記第１のビームを用いて前記信号を伝送または受信する時点は、
【数８８】
0006951025.tif 000185
であり、
【数７３】
0006951025.tif 000186
は上りリンクスロット（ｙ）を示し、前記第１の時点であり、
【数７４】
0006951025.tif 000187
は前記第１の予め設定された持続期間であり、
【数１５９】
0006951025.tif 000188
は１サブフレーム内の前記スロット数であり、μは前記システムパラメータであり、
【数１５９】
0006951025.tif 000189
はμにより定められ、
【数８９】
0006951025.tif 000190
は、
【数９０】
0006951025.tif 000191
および
【数９１】
0006951025.tif 000192
のうちの小さい方であり、
【数９２】
0006951025.tif 000193
は、前記端末が前記肯定応答（ＡＣＫ）メッセージを送信するために用いる上りリンクキャリアコンポーネント、上りリンク帯域幅部分または上りリンクフレームのシステムパラメータであり、
【数９３】
0006951025.tif 000194
は、前記端末が物理下りリンク共有チャネルを受信するために用いる下りリンクキャリアコンポーネント、下りリンク帯域幅部分または下りリンクフレームのシステムパラメータである、請求項１に記載のビーム構成方法。
【請求項８】
前記第１の時点は、前記端末が前記ビーム構成情報に対する前記肯定応答（ＡＣＫ）メッセージを前記ネットワークデバイスに、最初にまたは最後に送信する上りリンクスロットである、または、前記端末が前記ビーム構成情報に対する前記肯定応答（ＡＣＫ）メッセージを前記ネットワークデバイスに、最初にまたは最後に送信する上りリンクスロットに対応する下りリンクスロットである、請求項１から７のいずれか一項に記載のビーム構成方法。
【請求項９】
μはサブキャリア間隔に対応する前記システムパラメータの識別子である、請求項４または５に記載のビーム構成方法。
【請求項１０】
ネットワークデバイスにより、ビーム構成情報を端末に送信する段階であって、前記ビーム構成情報は、前記端末に対し、第１のビームを用いて信号を伝送または受信するよう命令するために用いられる、段階と、
前記ネットワークデバイスにより、第１の時点から開始する第１の予め設定された持続期間が期限切れになるとき、前記第１のビームに対応する第２のビームを用いて前記信号を受信または伝送する段階であって、前記第１の時点は、前記ネットワークデバイスが前記ビーム構成情報に対する、前記端末によって送信される肯定応答（ＡＣＫ）メッセージを受信する時点であり、前記第１の予め設定された持続期間は、システムパラメータに基づいて定められるスロット数に基づく、段階と、を備える、ビーム構成方法。
【請求項１１】
前記第１の時点は、前記ネットワークデバイスが前記ビーム構成情報に対する、前記端末によって送信される前記肯定応答（ＡＣＫ）メッセージを受信する上りリンクスロット（ｙ）である、または、前記端末が前記ビーム構成情報に対する前記肯定応答（ＡＣＫ）メッセージを送信する上りリンクスロット（ｚ）に対応する下りリンクスロット（ｙ）である、請求項１０に記載のビーム構成方法。
【請求項１２】
前記ネットワークデバイスは、前記上りリンクスロット（ｙ）においてタイマーを開始し、前記第１の予め設定された持続期間は前記タイマーの長さであり、ｘミリ秒またはｍ個の上りリンクスロットであり、ｍは正の整数である、または、
前記ネットワークデバイスは、前記下りリンクスロット（ｙ）において前記タイマーを開始し、前記第１の予め設定された持続期間は前記タイマーの長さであり、ｘミリ秒またはｍ個の下りリンクスロットであり、ｍは正の整数である、請求項１１に記載のビーム構成方法。
【請求項１３】
前記ネットワークデバイスが前記第１のビームに対応する前記第２のビームを用いて前記信号を受信または伝送する時点は、
【数９４】
0006951025.tif 000195
であり、
【数９５】
0006951025.tif 000196
は上りリンクスロット（ｙ）を示し、前記第１の時点であり、
【数９６】
0006951025.tif 000197
は、前記第１の予め設定された持続期間であり、
【数１５９】
0006951025.tif 000198
は１サブフレーム内の前記スロット数であり、μは前記システムパラメータであり、
【数１５９】
0006951025.tif 000199
はμにより定められ、
【数９７】
0006951025.tif 000200
は、前記端末が前記肯定応答（ＡＣＫ）メッセージを送信するときに用いる上りリンクキャリアコンポーネント、上りリンク帯域幅部分または上りリンクフレームの前記システムパラメータ
【数９８】
0006951025.tif 000201
である、請求項１０に記載のビーム構成方法。
【請求項１４】
前記ネットワークデバイスが前記第１のビームに対応する前記第２のビームを用いて前記信号を受信または伝送する時点は、
【数９９】
0006951025.tif 000202
であり、
【数１００】
0006951025.tif 000203
は、下りリンクスロット（ｙ）を示し、前記第１の時点であり、
【数１０１】
0006951025.tif 000204
は、前記端末が前記ビーム構成情報に対する前記肯定応答（ＡＣＫ）メッセージを前記ネットワークデバイスに送信する上りリンクスロット（ｚ）の番号であり、
【数１０２】
0006951025.tif 000205
は、前記端末が物理下りリンク共有チャネルを受信するために用いる下りリンクキャリアコンポーネント、下りリンク帯域幅部分または下りリンクフレームのシステムパラメータであり、
【数１０３】
0006951025.tif 000206
は、前記端末が前記肯定応答（ＡＣＫ）メッセージを前記ネットワークデバイスに送信するために用いる上りリンクキャリアコンポーネント、上りリンク帯域幅部分または上りリンクフレームのシステムパラメータであり、
【数１０４】
0006951025.tif 000207
は、
【数１０５】
0006951025.tif 000208
の結果の切り捨てを示し、
【数１０６】
0006951025.tif 000209
は、前記第１の予め設定された持続期間であり、
【数１５９】
0006951025.tif 000210
は１サブフレーム内の前記スロット数であり、μは前記システムパラメータであり、
【数１５９】
0006951025.tif 000211
はμにより定められ、
【数１０７】
0006951025.tif 000212
は、前記物理下りリンク共有チャネルを受信するために用いられる前記下りリンクキャリアコンポーネント、前記下りリンク帯域幅部分または前記下りリンクフレームの前記システムパラメータ
【数１０８】
0006951025.tif 000213
である、請求項１０に記載のビーム構成方法。
【請求項１５】
前記信号は、下りリンク制御チャネル情報または上りリンク制御チャネル情報または上りリンクサウンディング信号を含む、請求項１０に記載のビーム構成方法。
【請求項１６】
前記ネットワークデバイスが前記第１のビームに対応する前記第２のビームを用いて前記信号を受信または伝送する時点は、
【数１１０】
0006951025.tif 000214
であり、
【数７３】
0006951025.tif 000215
は上りリンクスロット（ｙ）を示し、前記第１の時点であり、
【数７４】
0006951025.tif 000216
は前記第１の予め設定された持続期間であり、
【数１５９】
0006951025.tif 000217
は１サブフレーム内の前記スロット数であり、μは前記システムパラメータであり、
【数１５９】
0006951025.tif 000218
はμにより定められ、
【数１１１】
0006951025.tif 000219
は、
【数１１２】
0006951025.tif 000220
および
【数１１３】
0006951025.tif 000221
のうちの小さい方であり、
【数１１４】
0006951025.tif 000222
は、前記肯定応答（ＡＣＫ）メッセージを送信するために用いられる上りリンクキャリアコンポーネント、上りリンク帯域幅部分または上りリンクフレームのシステムパラメータであり、
【数１１５】
0006951025.tif 000223
は、物理下りリンク共有チャネルを受信するために用いられる下りリンクキャリアコンポーネント、下りリンク帯域幅部分または下りリンクフレームのシステムパラメータである、請求項１０に記載のビーム構成方法。
【請求項１７】
前記第１の時点は、前記ネットワークデバイスが、前記ビーム構成情報に対する、前記端末によって送信される前記肯定応答（ＡＣＫ）メッセージを、最初にまたは最後に受信する上りリンクスロットである、または、前記ネットワークデバイスが、前記ビーム構成情報に対する、前記端末によって送信される前記肯定応答（ＡＣＫ）メッセージを、最初にまたは最後に受信する上りリンクスロット（ｚ）に対応する下りリンクスロットである、請求項１０から１６のいずれか一項に記載のビーム構成方法。
【請求項１８】
ネットワークデバイスによって送信されたビーム構成情報を受信するように構成された送受信機であって、前記ビーム構成情報は、端末に対し、第１のビームを用いて信号を伝送または受信するよう命令するために用いられる、送受信機と、
第１の時点から開始する第１の予め設定された持続期間が期限切れになるとき、前記送受信機を、少なくとも前記第１のビームを用いて前記信号を伝送または受信するよう構成するように適合されたプロセッサであって、前記第１の時点は、前記端末が前記ビーム構成情報に対する肯定応答（ＡＣＫ）メッセージを前記ネットワークデバイスに送信する時点であり、前記第１の予め設定された持続期間は、システムパラメータに基づいて定められるスロット数に基づく、プロセッサと、を備える、端末。
【請求項１９】
前記第１の時点は、前記端末が前記ビーム構成情報に対する前記肯定応答（ＡＣＫ）メッセージを前記ネットワークデバイスに送信する上りリンクスロット（ｙ）である、または、前記端末が前記ビーム構成情報に対する前記肯定応答（ＡＣＫ）メッセージを前記ネットワークデバイスに送信する上りリンクスロット（ｚ）に対応する下りリンクスロット（ｙ）である、請求項１８に記載の端末。
【請求項２０】
前記プロセッサは、前記上りリンクスロット（ｙ）においてタイマーを開始し、および前記第１の予め設定された持続期間は前記タイマーの長さであり、ｘミリ秒またはｍ個の上りリンクスロットであり、ｍは正の整数である、または、
前記プロセッサは、前記下りリンクスロット（ｙ）において前記タイマーを開始し、および前記第１の予め設定された持続期間は前記タイマーの長さであり、ｘミリ秒またはｍ個の下りリンクスロットであり、ｍは正の整数である、請求項１９に記載の端末。
【請求項２１】
前記送受信機が前記第１のビームを用いて前記信号を伝送または受信する時点は、
【数１１６】
0006951025.tif 000224
であり、
【数１１７】
0006951025.tif 000225
は上りリンクスロット（ｙ）を示し、前記第１の時点であり、
【数１１８】
0006951025.tif 000226
は、前記第１の予め設定された持続期間であり、
【数１５９】
0006951025.tif 000227
は１サブフレーム内の前記スロット数であり、μは前記システムパラメータであり、
【数１５９】
0006951025.tif 000228
はμにより定められ、
【数１１９】
0006951025.tif 000229
は、前記端末が前記肯定応答（ＡＣＫ）メッセージを送信するために用いる上りリンクキャリアコンポーネント、上りリンク帯域幅部分または上りリンクフレームの前記システムパラメータ
【数１２０】
0006951025.tif 000230
である、請求項１８に記載の端末。
【請求項２２】
前記送受信機が、前記第１のビームを用いて前記信号を伝送または受信する時点は、
【数１２１】
0006951025.tif 000231
であり、
【数１２２】
0006951025.tif 000232
は、下りリンクスロット（ｙ）を示し、前記第１の時点であり、
【数１２３】
0006951025.tif 000233
は、前記端末が前記ビーム構成情報に対する前記肯定応答（ＡＣＫ）メッセージを前記ネットワークデバイスに送信する上りリンクスロット（ｚ）の番号であり、
【数１２４】
0006951025.tif 000234
は、前記端末が物理下りリンク共有チャネルを受信するために用いる下りリンクキャリアコンポーネント、下りリンク帯域幅部分または下りリンクフレームのシステムパラメータであり、
【数１２５】
0006951025.tif 000235
は、前記端末が前記肯定応答（ＡＣＫ）メッセージを前記ネットワークデバイスに送信するために用いる上りリンクキャリアコンポーネント、上りリンク帯域幅部分または上りリンクフレームのシステムパラメータであり、
【数１２６】
0006951025.tif 000236
は、
【数１２７】
0006951025.tif 000237
の結果の切り捨てを示し、
【数１２８】
0006951025.tif 000238
は、前記第１の予め設定された持続期間であり、
【数１５９】
0006951025.tif 000239
は１サブフレーム内の前記スロット数であり、μは前記システムパラメータであり、
【数１５９】
0006951025.tif 000240
はμによって定められ、
【数１２９】
0006951025.tif 000241
は、前記端末が前記物理下りリンク共有チャネルを受信するために用いる前記下りリンクキャリアコンポーネント、前記下りリンク帯域幅部分または前記下りリンクフレームの前記システムパラメータ
【数１３０】
0006951025.tif 000242
である、請求項１８に記載の端末。
【請求項２３】
前記信号は、下りリンク制御チャネル情報または上りリンク制御チャネル情報または上りリンクサウンディング信号を含む、請求項１８に記載の端末。
【請求項２４】
前記送受信機が前記第１のビームを用いて前記信号を伝送または受信する時点は、
【数８８】
0006951025.tif 000243
であり、
【数７３】
0006951025.tif 000244
は上りリンクスロット（ｙ）を示し、前記第１の時点であり、
【数７４】
0006951025.tif 000245
は前記第１の予め設定された持続期間であり、
【数１５９】
0006951025.tif 000246
は１サブフレーム内の前記スロット数であり、μは前記システムパラメータであり、
【数１５９】
0006951025.tif 000247
はμにより定められ、
【数１３３】
0006951025.tif 000248
は、
【数１３４】
0006951025.tif 000249
および
【数１３５】
0006951025.tif 000250
のうちの小さい方であり、
【数１３６】
0006951025.tif 000251
は、前記端末が前記肯定応答（ＡＣＫ）メッセージを送信するために用いる上りリンクキャリアコンポーネント、上りリンク帯域幅部分または上りリンクフレームのシステムパラメータであり、
【数１３７】
0006951025.tif 000252
は、前記端末が物理下りリンク共有チャネルを受信するために用いる下りリンクキャリアコンポーネント、下りリンク帯域幅部分または下りリンクフレームのシステムパラメータである、請求項１８に記載の端末。
【請求項２５】
前記第１の時点は、前記端末が前記ビーム構成情報に対する前記肯定応答（ＡＣＫ）メッセージを前記ネットワークデバイスに、最初にまたは最後に送信する上りリンクスロットである、または、前記端末が前記ビーム構成情報に対する前記肯定応答（ＡＣＫ）メッセージを前記ネットワークデバイスに、最初にまたは最後に送信する上りリンクスロットに対応する下りリンクスロットである、請求項１８から２４のいずれか一項に記載の端末。
【請求項２６】
ビーム構成情報を端末に送信するように構成された送受信機であって、前記ビーム構成情報は、前記端末に対し、第１のビームを用いて信号を伝送または受信するよう命令するために用いられる、送受信機と、
第１の時点から開始する第１の予め設定された持続期間が期限切れになるとき、前記送受信機を、前記第１のビームに対応する第２のビームを用いて前記信号を受信または伝送するよう構成するように適合されたプロセッサであって、前記第１の時点は、ネットワークデバイスが、前記ビーム構成情報に対する、前記端末によって送信される肯定応答（ＡＣＫ）メッセージを受信する時点であり、前記第１の予め設定された持続期間は、システムパラメータに基づいて定められるスロット数に基づく、プロセッサと、を備える、ネットワークデバイス。
【請求項２７】
前記第１の時点は、前記ネットワークデバイスが前記ビーム構成情報に対する、前記端末によって送信される前記肯定応答（ＡＣＫ）メッセージを受信する上りリンクスロット（ｙ）である、または、前記端末が前記ビーム構成情報に対する前記肯定応答（ＡＣＫ）メッセージを送信する上りリンクスロット（ｚ）に対応する下りリンクスロット（ｙ）である、請求項２６に記載のネットワークデバイス。
【請求項２８】
前記プロセッサは、前記上りリンクスロット（ｙ）においてタイマーを開始し、および前記第１の予め設定された持続期間は前記タイマーの長さであり、ｘミリ秒またはｍ個の上りリンクスロットであり、ｍは正の整数である、または、
前記プロセッサは、前記下りリンクスロット（ｙ）において前記タイマーを開始し、および前記第１の予め設定された持続期間は前記タイマーの長さであり、ｘミリ秒またはｍ個の下りリンクスロットであり、ｍは正の整数である、請求項２７に記載のネットワークデバイス。
【請求項２９】
前記送受信機が前記第１のビームに対応する前記第２のビームを用いて前記信号を受信または伝送する時点は、
【数１３８】
0006951025.tif 000253
であり、
【数１３９】
0006951025.tif 000254
は上りリンクスロット（ｙ）を示し、前記第１の時点であり、
【数１４０】
0006951025.tif 000255
は、前記第１の予め設定された持続期間であり、
【数１５９】
0006951025.tif 000256
は１サブフレーム内の前記スロット数であり、μは前記システムパラメータであり、
【数１５９】
0006951025.tif 000257
はμにより定められ、
【数１４１】
0006951025.tif 000258
は、前記端末が前記肯定応答（ＡＣＫ）メッセージを送信するために用いる上りリンクキャリアコンポーネント、上りリンク帯域幅部分または上りリンクフレームの前記システムパラメータ
【数１４２】
0006951025.tif 000259
である、請求項２６に記載のネットワークデバイス。
【請求項３０】
前記送受信機が、前記第１のビームに対応する前記第２のビームを用いて前記信号を受信または伝送する時点は、
【数１４３】
0006951025.tif 000260
であり、
【数１４４】
0006951025.tif 000261
は、下りリンクスロット（ｙ）を示し、前記第１の時点であり、
【数１４５】
0006951025.tif 000262
は、前記端末が前記ビーム構成情報に対する前記肯定応答（ＡＣＫ）メッセージを前記ネットワークデバイスに送信する上りリンクスロット（ｚ）の番号であり、
【数１４６】
0006951025.tif 000263
は、前記端末が物理下りリンク共有チャネルを受信するために用いる下りリンクキャリアコンポーネント、下りリンク帯域幅部分または下りリンクフレームのシステムパラメータであり、
【数１４７】
0006951025.tif 000264
は、前記端末が前記肯定応答（ＡＣＫ）メッセージを前記ネットワークデバイスに送信するために用いる上りリンクキャリアコンポーネント、上りリンク帯域幅部分または上りリンクフレームのシステムパラメータであり、
【数１４８】
0006951025.tif 000265
は、
【数１４９】
0006951025.tif 000266
の結果の切り捨てを示し、
【数１５０】
0006951025.tif 000267
は、前記第１の予め設定された持続期間であり、
【数１５９】
0006951025.tif 000268
は１サブフレーム内の前記スロット数であり、μは前記システムパラメータであり、
【数１５９】
0006951025.tif 000269
はμにより定められ、
【数１５１】
0006951025.tif 000270
は、前記端末が前記物理下りリンク共有チャネルを受信するために用いる前記下りリンクキャリアコンポーネント、前記下りリンク帯域幅部分または前記下りリンクフレームの前記システムパラメータ
【数１５２】
0006951025.tif 000271
である、請求項２６に記載のネットワークデバイス。
【請求項３１】
前記信号は、下りリンク制御チャネル情報または上りリンク制御チャネル情報または上りリンクサウンディング信号を含む、請求項２６に記載のネットワークデバイス。
【請求項３２】
前記送受信機が前記第１のビームに対応する前記第２のビームを用いて前記信号を受信または伝送する時点は、
【数１５３】
0006951025.tif 000272
であり、
【数７３】
0006951025.tif 000273
は上りリンクスロット（ｙ）を示し、前記第１の時点であり、
【数７４】
0006951025.tif 000274
は前記第１の予め設定された持続期間であり、
【数１５９】
0006951025.tif 000275
は１サブフレーム内の前記スロット数であり、μは前記システムパラメータであり、
【数１５９】
0006951025.tif 000276
はμにより定められ、
【数１５４】
0006951025.tif 000277
は、
【数１５５】
0006951025.tif 000278
および
【数１５６】
0006951025.tif 000279
のうちの小さい方であり、
【数１５７】
0006951025.tif 000280
は、前記端末が前記肯定応答（ＡＣＫ）メッセージを送信するために用いる上りリンクキャリアコンポーネント、上りリンク帯域幅部分または上りリンクフレームのシステムパラメータであり、
【数１５８】
0006951025.tif 000281
は、前記端末が物理下りリンク共有チャネルを受信するために用いる下りリンクキャリアコンポーネント、下りリンク帯域幅部分または下りリンクフレームのシステムパラメータである、請求項２６に記載のネットワークデバイス。
【請求項３３】
前記第１の時点は、前記送受信機が、前記ビーム構成情報に対する、前記端末によって送信される前記肯定応答（ＡＣＫ）メッセージを、最初にまたは最後に受信する上りリンクスロットである、または、前記送受信機が、前記ビーム構成情報に対する、前記端末によって送信される前記肯定応答（ＡＣＫ）メッセージを、最初にまたは最後に受信する上りリンクスロットに対応する下りリンクスロットである、請求項２６から３２のいずれか一項に記載のネットワークデバイス。
【請求項３４】
プロセッサおよびインタフェースを備える通信装置であって、前記プロセッサは、請求項１から１７のいずれか一項に記載の前記ビーム構成方法が実装され得るように構成されている、通信装置。
【請求項３５】
前置通信装置は、チップである、請求項３４に記載の通信装置。
【請求項３６】
コンピュータに、請求項１から１７のいずれか一項に記載の前記ビーム構成方法を実行させるための、コンピュータプログラム。
【請求項３７】
コンピュータ可読記憶媒体であって、
前記コンピュータ可読記憶媒体は、コンピュータプログラムを格納し、前記コンピュータプログラムがコンピュータ上で実行されると、前記コンピュータが、請求項１から１７のいずれか一項に記載のビーム構成方法を実行できるようにする、コンピュータ可読記憶媒体。
【発明の詳細な説明】
【技術分野】
【０００１】
本願は、２０１７年１１月１７日に国家知識産権局に出願した、発明の名称「ビーム構成方法および装置」という中国特許出願第２０１７１１１６４９２５．Ｘ号、および２０１８年１１月２日に国家知識産権局に出願した、発明の名称「ビーム構成方法および装置」に基づく中国特許出願第２０１８１１３０２９６４．６号に基づく優先権を主張し、これらは参照によりそれらの全体が本明細書に援用される。
【０００２】
本願は、通信技術の分野に関し、特に、ビーム構成方法および装置に関する。
【背景技術】
【０００３】
モバイルサービスの発展につれ、データレートおよび無線通信の効率に対し、ますます高い要件が課されるようになっている。５Ｇおよび将来の無線通信システムにおいては、信号伝送エネルギーを特定のビーム方向に制約するビームフォーミング技術を用いて、信号通信効率が改善される。ビームフォーミング技術は、無線信号の送信範囲を効率的に拡大し、信号干渉を低減して、より高い通信効率を実現し、より大きなネットワーク容量を得ることができる。
【０００４】
ビームフォーミング技術を用いる通信ネットワークにおいては、特定の受信ビームを用いて、受信端デバイスによって受信される信号が送信端デバイスの特定の送信ビームからのものになるように、ビームアライメントが実行される必要があり、これにより、比較的良好な信号品質が得られる。さもなければ、比較的高い通信効率は実現できず、通信さえも実行できない可能性がある。通信チャネル環境の変化および通信デバイス（送信端デバイスまたは受信端デバイスを含む）の移動等に伴い、比較的良好なチャネル品質を持つビーム（送信ビームまたは受信ビームを含む）も変化し得る。この場合、ビーム構成が要求される。
【発明の概要】
【０００５】
本願の実施形態は、端末が、ネットワークデバイスによって構成された第１のビームを用いて信号を送信すると、ネットワークデバイスが、第１のビームに対応する第２のビームを用いて信号を送信するようなビーム構成方法および装置を提供する。例えば、第１のビームおよび第２のビームは同一のビームペアに属し、これにより、信号伝送効率を改善する。
【０００６】
第１の態様によると、本願は、ビーム構成方法を提供する。方法は、端末により、ネットワークデバイスによって送信されたビーム構成情報を受信する段階であって、上記ビーム構成情報は、上記端末に対し、第１のビームを用いて信号を伝送するよう命令するために用いられる、段階と、上記端末により、第１の時点から開始する第１の予め設定された持続期間が期限切れになるとき、少なくとも上記第１のビームを用いて上記信号を伝送する段階であって、上記第１の時点は、上記端末が、上記ビーム構成情報に対するＡＣＫメッセージを上記ネットワークデバイスに送信する時点である、段階と、を備える。第１の予め設定された持続期間は、０以上であってよい。ビーム構成情報は、最初に実行されるビーム構成プロシージャにおけるビーム構成情報であってよい、または、再実行されるビーム構成プロシージャにおけるビーム構成情報であってよい。少なくとも第１のビームを用いて信号を伝送することが、具体的に、第１のビームのみを用いて信号を伝送することである場合、当該技術的解決手段は、端末がシングルビーム送信をサポートするシナリオに適用されてよい。少なくとも第１のビームを用いて信号を伝送することが、具体的に、第１のビームに加え、別のビームを用いて信号を伝送することである場合、当該技術的解決手段は、端末が、シングルビーム送信またはマルチビーム送信をサポートするシナリオに適用されてよい。当該技術的解決手段は、下りリンクビーム構成シナリオに適用されてよく、または、上りリンクビーム構成シナリオに適用されてよい。当該技術的解決手段において、ビーム構成情報に対するＡＣＫメッセージをネットワークデバイスに送信するとき、端末はタイマーを開始し、タイマーのタイミング時間が予め設定された持続期間に到達したとき、第１のビームを用いて信号を伝送する。このように、ネットワークデバイスが、ＡＣＫメッセージを受信するとき、タイマーを開始する場合、タイマーのタイミング時間が予め設定された持続期間に到達したとき、ネットワークデバイスは、第１のビームに対応する第２のビームを用いて信号を伝送する。従って、端末がＡＣＫメッセージを送信し、ネットワークデバイスがＡＣＫメッセージを受信するとき、ネットワークデバイスと端末との間の挙動の整合性は容易化され、これにより、信号伝送効率が向上する。
【０００７】
可能な設計において、上記端末により、第１の時点から開始する第１の予め設定された持続期間が期限切れになるとき、少なくとも上記第１のビームを用いて上記信号を伝送する上記段階は、上記端末により、上記第１の時点においてタイマーを開始し、および上記タイマーのタイミング時間が上記第１の予め設定された持続期間に到達したとき、少なくとも上記第１のビームを用いて上記信号を伝送する段階を含んでよい。可能な設計は、第１の時点から開始する予め設定された持続期間が期限切れになるとき、少なくとも上記第１のビームを用いて信号を伝送することを、上記タイマーを用いて、実装するソリューションを提供する。もちろん、特定の実装は、この点について限定はされない。例えば、時間ウィンドウを設定する等の方式が、実装に用いられてよい。
【０００８】
可能な設計において、方法は、さらに、上記端末により、上記タイマーが上記第１の予め設定された持続期間に到達していないときに、上記ビーム構成情報を再受信した場合、上記タイマーを停止し、および第２の時点で上記タイマーを開始する段階を備えてよく、上記第２の時点は、上記端末が上記再受信したビーム構成情報に対するＡＣＫメッセージを上記ネットワークデバイスに送信する時点である。可能な設計は、端末がＡＣＫメッセージをネットワークデバイスに送信するが、ネットワークデバイスはＡＣＫメッセージを受信しないシナリオに適用されてよい。当該シナリオにおいては、ネットワークデバイスは、ＡＣＫメッセージの受信時に、タイマーを開始し、タイマーのタイミング時間が予め設定された持続期間に到達したとき、ネットワークデバイスは、第１のビームに対応する第２のビームを用いて信号を伝送し、これにより、ネットワークデバイスと端末との間の挙動の整合性を容易にする。
【０００９】
可能な設計において、端末により、第１の時点から開始する第１の予め設定された持続期間が期限切れになるとき、少なくとも上記第１のビームを用いて上記信号を伝送する上記段階は、上記端末により、上記第１の時点から開始する上記第１の予め設定された持続期間が期限切れになるとき、上記第１のビームに加え、前回用いられたビームまたは既定で用いられるビームを用いて、上記信号を伝送する段階を含んでよい。可能な設計は、端末がマルチビーム送信をサポートするシナリオに適用されてよい。
【００１０】
可能な設計において、上記方法は、さらに、上記端末により、上記第１のビームで上記信号を受信する場合に、上記第１のビームを用いて信号を後続的に受信する段階、または、上記端末により、上記タイマーの上記タイミング時間が上記第１の予め設定された持続期間に到達した後、上記第１のビーム以外のビームで上記信号を受信する場合に、上記ビーム構成情報に対する上記ＡＣＫメッセージを上記ネットワークデバイスに送信し、上記ＡＣＫメッセージの送信時に上記タイマーを開始し、および上記タイマーの上記タイミング時間が上記第１の予め設定された持続期間に到達したとき、上記第１のビームに加え、前回用いられた上記ビームまたは既定で用いられる上記ビームを用いて、信号を伝送する段階、または上記端末により、上記第１のビーム以外のビームで上記信号を受信する場合に、エラー指標を上記ネットワークデバイスに送信する段階であって、上記エラー指標は、上記ネットワークデバイスに対し、上記ビーム構成情報を再送信するよう命令するために用いられる、段階を備えてよい。可能な設計は、端末がマルチビーム送信をサポートするシナリオにおいて、下りリンクビーム構成プロシージャに適用されてよい。これにより、ネットワークデバイスと端末との間の挙動の整合性が容易化され、これにより、信号伝送効率を向上させる。
【００１１】
可能な設計において、上記ビーム構成方法は、さらに、上記端末により、第３の時点から開始する第２の予め設定された持続期間が期限切れになるとき、上記第１のビームを用いて信号を送信する段階であって、上記第３の時点は、上記タイマーの上記タイミング時間が上記予め設定された持続期間に到達した時点である、段階を備えてよい。可能な設計は、端末がマルチビーム送信をサポートするシナリオにおいて、上りリンクビーム構成プロシージャに適用されてよい。これにより、ネットワークデバイスと端末との間の挙動の整合性が容易化され、これにより、信号伝送効率を向上させる。
【００１２】
第２の態様により、本願は、ビーム構成方法を提供する。方法は、ネットワークデバイスにより、ビーム構成情報を端末に送信する段階であって、上記ビーム構成情報は、上記端末に対し、第１のビームを用いて信号を伝送するよう命令するために用いられる、段階と、上記ネットワークデバイスにより、第１の時点から開始する予め設定された持続期間が期限切れになるとき、上記第１のビームに対応する第２のビームを用いて上記信号を伝送する段階であって、上記第１の時点は、上記ネットワークデバイスが上記ビーム構成情報に対する、上記端末によって送信されるＡＣＫメッセージを受信する時点である、段階と、を備えてよい。ここで、第１の態様において、予め設定された持続期間は、「第１の予め設定された持続期間」であってよい。
【００１３】
可能な設計において、上記ネットワークデバイスにより、第１の時点から開始する予め設定された持続期間が期限切れになるとき、上記第１のビームに対応する第２のビームを用いて上記信号を伝送する上記段階は、上記ネットワークデバイスにより、上記第１の時点においてタイマーを開始し、および上記タイマーのタイミング時間が上記予め設定された持続期間に到達したとき、上記第１のビームに対応する上記第２のビームを用いて上記信号を伝送する段階を含んでよい。
【００１４】
可能な設計において、方法は、さらに、ネットワークデバイスにより、端末によって送信されるエラー指標を受信する段階であって、エラー指標は、ネットワークデバイスに対し、ビーム構成情報を再送信するよう命令するために用いられる段階、および、ネットワークデバイスにより、エラー指標に従い、ビーム構成情報を端末に再送信する段階を含んでよい。
【００１５】
第２の態様で提供される任意のビーム構成方法は、第１の態様で提供される対応するビーム構成方法と組み合わされて用いられてよく、ネットワークデバイスと端末との間の挙動の整合性を容易化し、これにより、信号伝送効率を向上させる。第１の態様で提供される技術的解決手段と、第２の態様で提供される技術的解決手段との間の対応関係、およびネットワークデバイスと端末との間の挙動の整合性の実装方法については、以下の特定の実施形態を参照されたい。
【００１６】
第３の態様により、本願は、ビーム構成方法を提供する。方法は、端末により、ネットワークデバイスによって送信されたビーム構成情報を受信する段階であって、上記ビーム構成情報は、上記端末に対し、第１のビームを用いて信号を伝送するよう命令するために用いられる、段階と、上記端末により、上記ビーム構成情報に対するＡＣＫメッセージを上記ネットワークデバイスに送信する段階と、上記端末により、上記ネットワークデバイスにより送信される、上記ＡＣＫメッセージが正常に伝送されたことを示す指示情報を受信し、第４の時点から開始する予め設定された持続期間が期限切れになるとき、上記第１のビームを用いて上記信号を伝送する段階であってと、上記第４の時点は、上記端末が上記指示情報を受信する時点である、段階と、を備えてよい。上記技術的解決手段は、端末がシングルビーム送信またはマルチビーム送信をサポートするシナリオに適用されてよい。上記技術的解決手段は、下りリンクビーム構成シナリオに適用されてよく、または上りリンクビーム構成シナリオに適用されてよい。上記技術的解決手段においては、端末とネットワークデバイスとの間で３方向ハンドシェイクが実行される。端末は、端末がネットワークデバイスによって送信される、ビーム構成情報に対するＡＣＫメッセージが正常に伝送されたことを示す指示情報を受信する時点から開始する予め設定された持続期間が期限切れになるとき、第１のビームを用いて信号を伝送する。指示情報が送信される時点から開始する予め設定された持続期間が期限切れになるとき、ネットワークデバイスは、第１のビームに対応する第２のビームを用いて信号を伝送し、ネットワークデバイスと端末との間の挙動の整合性が実装されてよく、これにより、信号伝送効率が向上される。
【００１７】
可能な設計において、上記端末により、第４の時点から開始する予め設定された持続期間が期限切れになるとき、上記第１のビームを用いて上記信号を伝送する上記段階は、上記端末により、上記第４の時点においてタイマーを開始し、および上記タイマーのタイミング時間が上記予め設定された持続期間に到達したとき、上記第１のビームを用いて上記信号を伝送する段階を含んでよい。
【００１８】
第４の態様により、本願は、ビーム構成方法を提供する。方法は、ネットワークデバイスにより、ビーム構成情報を端末に送信する段階であって、ビーム構成情報は、端末に対し、第１のビームを用いて信号を伝送するよう命令するために用いられる、段階と、上記ネットワークデバイスにより、上記ビーム構成情報に対する、上記端末により送信されるＡＣＫメッセージを受信する段階と、上記ネットワークデバイスにより、上記ＡＣＫメッセージが正常に伝送されたことを示す指示情報を上記端末に送信し、第４の時点から開始する予め設定された持続期間が期限切れになるとき、第１のビームに対応する第２のビームを用いて信号を伝送する段階であって、上記第４の時点は、上記ネットワークデバイスが上記指示情報を送信する時点である、段階と、を備えてよい。
【００１９】
可能な設計において、上記ネットワークデバイスにより、第４の時点から開始する予め設定された持続期間が期限切れになるとき、上記第１のビームに対応する第２のビームを用いて上記信号を伝送する上記段階は、上記ネットワークデバイスにより、上記第４の時点においてタイマーを開始し、および上記タイマーのタイミング時間が上記予め設定された持続期間に到達したとき、上記第１のビームに対応する上記第２のビームを用いて上記信号を伝送する段階を含んでよい。
【００２０】
第４の態様で提供される任意のビーム構成方法は、第３の態様で提供される対応するビーム構成方法と組み合わされて用いられてよく、ネットワークデバイスと端末との間の挙動の整合性を容易化し、これにより、信号伝送効率を向上させる。詳細については、以下の特定の実装の部分を参照されたい。
【００２１】
第５の態様により、本願は、通信デバイスを提供する。通信デバイスは、端末であってよい。この場合、通信デバイスは、第１の態様または第３の態様によるビーム構成方法を実行するよう構成されてよい。通信デバイスは、ネットワークデバイスであってよい。この場合、通信デバイスは、第２の態様または第４の態様によるビーム構成方法を実行するよう構成されてよい。
【００２２】
可能な設計において、通信デバイスは、上述の対応する方法に基づき、複数の機能モジュールに分割されてよい。例えば、機能モジュールは、機能に基づく分割により得られてよい。代替的に、２または２より多い機能が、１つの処理モジュールに統合されてよい。
【００２３】
別の可能な設計において、通信デバイスは、プロセッサおよび送受信機を含んでよい。随意で、通信デバイスは、さらに、メモリを含んでよい。メモリは、コンピュータプログラムを格納するように構成されており、プロセッサによる実行時、コンピュータプログラムは、第１の態様から第４の態様による対応する方法が実行されることを可能にする。送受信機は、プロセッサの制御の下、別の通信デバイスと通信するよう構成されている。メモリは、ストレージチップ等であってよい。
【００２４】
本願は、さらに、コンピュータ可読記憶媒体を提供する。コンピュータ可読記憶媒体は、コンピュータプログラムを格納し、コンピュータプログラムは、コンピュータ上での実行時に、コンピュータが第１の態様から第４の態様による任意の可能な方法を実行できるようにする。
【００２５】
本願は、さらに、コンピュータプログラムプロダクトを提供し、コンピュータプログラムプロダクトは、コンピュータ上での実行時に、第１の態様から第４の態様による任意の方法が実行されることを可能にする。
【００２６】
本願の一実施形態は、さらに、上述の端末またはネットワークデバイスの機能を実装する処理装置を提供する。処理装置は、プロセッサおよびインタフェースを含み、処理装置はチップであってよい。プロセッサは、ハードウェアまたはソフトウェアによって実装されてよい。ハードウェアによる実装時、プロセッサは、ロジック回路、集積回路等であってよい。ソフトウェアによる実装時、プロセッサは、汎用プロセッサであってよく、メモリ内に格納されたソフトウェアコードを読み取って実装される。メモリは、プロセッサに統合されてよく、または、プロセッサとは独立していてよい。
【００２７】
上述の任意の通信デバイス、コンピュータ記憶媒体、またはコンピュータプログラムプロダクトが、上述の対応する方法を実行するよう構成されていることを理解されたい。従って、通信デバイス、コンピュータ記憶媒体、またはコンピュータプログラムプロダクトによって実現され得る有利な効果については、対応する方法における有利な効果を参照されたく、詳細について、ここに再度説明はしない。
【図面の簡単な説明】
【００２８】
【図１】本願の一実施形態による技術的解決手段が適用可能なシステムアーキテクチャの概略図である。
【００２９】
【図２】本願の一実施形態によるビーム構成方法の第１の概略図である。
【００３０】
【図３】本願の一実施形態によるビーム構成方法の第２の概略図である。
【００３１】
【図４】本願の一実施形態によるビーム構成方法の第１の対話フローチャートである。
【００３２】
【図５】本願の一実施形態による、図４に示されたビーム構成プロシージャに基づく概略図である。
【００３３】
【図６】本願の一実施形態によるビーム構成方法の第２の対話フローチャートである。
【００３４】
【図７】本願の一実施形態による、図６に示されたビーム構成プロシージャに基づく概略図である。
【００３５】
【図８】本願の一実施形態によるビーム構成方法の第３の対話フローチャートである。
【００３６】
【図９】本願の一実施形態による、図８に示されたビーム構成プロシージャに基づく概略図である。
【００３７】
【図１０】本願の一実施形態によるビーム構成方法の第４の対話フローチャートである。
【００３８】
【図１１】本願の一実施形態によるビーム構成方法の第５の対話フローチャートである。
【００３９】
【図１２】本願の一実施形態によるビーム構成方法の第６の対話フローチャートである。
【００４０】
【図１３】本願の一実施形態によるビーム構成方法の第７の対話フローチャートである。
【００４１】
【図１４】本願の一実施形態による、図１３に示されたビーム構成プロシージャに基づく概略図である。
【００４２】
【図１５】本願の一実施形態による通信デバイスの第１の概略構造図である。
【００４３】
【図１６】本願の一実施形態による通信デバイスの第２の概略構造図である。
【００４４】
【図１７】ビーム構成プロシージャの概略図である。
【００４５】
【図１８】本願の一実施形態によるビーム構成プロシージャの別の模式図である。
【００４６】
【図１９】本願の一実施形態によるビーム構成プロシージャのさらに別の模式図である。
【００４７】
【図２０】本願の一実施形態によるビーム構成プロシージャのさらなる別の模式図である。
【００４８】
【図２１】本願の一実施形態によるビーム構成プロシージャの対話フローチャートである。
【００４９】
【図２２】本願の一実施形態によるビーム構成ソリューションのシグナリング概略図である。
【００５０】
【図２３】本願の一実施形態によるビーム構成ソリューションの別のシグナリング模式図である。
【００５１】
【図２４】本願の一実施形態によるビーム構成方法のさらなる別のシグナリング模式図である。
【００５２】
【図２５】本願の一実施形態によるビーム構成プロシージャのさらなる別のシグナリング模式図である。
【００５３】
【図２６】本願の一実施形態によるビーム構成プロシージャのさらなる別のシグナリング模式図である。
【発明を実施するための形態】
【００５４】
本願における「複数の」という用語は、「２または２より多い」を意味する。本願における「および／または」という用語は、関連するオブジェクトを記載するための関連付け関係を記載するに過ぎず、３つの関係が存在してよいことを表わしている。例えば、Ａおよび／またはＢは、Ａのみが存在する、ＡおよびＢの両方が存在する、並びにＢのみが存在するという３つのケースを表わしてよい。また、本明細書における文字「／」は、一般的に関連するオブジェクト間の「または」の関係を示す。本願における「第１」、「第２」等の用語は、異なるオブジェクト間を区別する意図であり、当該異なるオブジェクトの順序を限定する意図はない。
【００５５】
本願において提供される技術的解決手段は、様々な通信システムに適用されてよい。本願において提供される技術的解決手段は、５Ｇ通信システム、将来の進化型システム、マルチ通信収束システム等に適用されてよく、または、既存の通信システム等に適用されてよい。本願において提供される技術的解決手段は、例えば、マシンツーマシン（machine-to-machine, M2M）、マクロおよびミクロ通信、エンハンスドモバイルブロードバンド（enhanced mobile broadband, eMBB）、超高信頼性低遅延通信（ultra-reliable and low latency communications, uRLLC）並びに大量マシンタイプ通信（massive machine type communications, mMTC）といった、複数のシナリオに適用されてよい。これらのシナリオには、限定ではないが、端末間の通信シナリオ、ネットワークデバイス間の通信シナリオ、ネットワークデバイスと端末との間の通信シナリオ等が含まれてよい。以下では、すべての説明は、当該技術的解決手段がネットワークデバイスと端末との間の通信シナリオに適用される一例を用いて記載されている。
【００５６】
図１は、本願による技術的解決手段が適用可能な通信システムの概略図である。通信システムは、１または複数のネットワークデバイス１００（１つのネットワークデバイス１００のみが示されている）および各ネットワークデバイスに接続された１または複数の端末２００を含んでよい。図１は、概略図に過ぎず、本願において提供される技術的解決手段の適用可能なシナリオに対して何らの限定を構成するものではない。
【００５７】
ネットワークデバイス１００は、送信受信ポイント（transmission reception point, TRP）、基地局、中継ノード、アクセスポイント等であってよい。ネットワークデバイス１００は、５Ｇ通信システムにおけるネットワークデバイスであってよく、または、将来の進化型ネットワークにおけるネットワークデバイスであってよく、または、ウェアラブルデバイス、車載デバイス等であってよい。また、代替的に、ネットワークデバイス１００は、グローバルシステムフォーモバイルコミュニケーション（global system for mobile communications, GSM（登録商標））または符号分割多重アクセス（code division multiple access, CDMA）ネットワークにおけるベーストランシーバ局（base transceiver station, BTS）であってよく、広帯域符号分割多重アクセス（wideband code division multiple access, WCDMA（登録商標））におけるＮＢ（ＮｏｄｅＢ）であってよく、またはロングタームエボリューション（long term evolution, LTE）におけるｅＮＢまたはｅＮｏｄｅＢ（evolved NodeB）であってよい。代替的に、ネットワークデバイス１００は、クラウド無線アクセスネットワーク（cloud radio access network, CRAN）シナリオにおける無線コントローラであってよい。
【００５８】
端末２００は、ユーザ機器（user equipment, UE）、アクセス端末、ＵＥユニット、ＵＥ局、移動局、移動コンソール、遠隔局、遠隔端末、モバイルデバイス、ＵＥ端末、無線通信デバイス、ＵＥエージェント、ＵＥ装置等であってよい。アクセス端末は、携帯電話、コードレス電話、セッション初期化プロトコル（session initiation protocol, SIP）電話、無線ローカルループ（wireless local loop, WLL）局、パーソナルデジタルアシスタント（personal digital assistant, PDA）、無線通信機能を有するハンドヘルドデバイス、無線モデムに接続されたコンピューティングデバイスまたは別の処理デバイス、車載デバイス、ウェアラブルデバイス、５Ｇネットワークにおける端末デバイス、将来の進化型ＰＬＭＮ等における端末であってよい。
【００５９】
ビームは、通信リソースである。ビームは、送信ビームおよび受信ビームに分類されてよい。送信ビームは、信号がアンテナを用いて送信された後の、空間の異なる方向に形成される信号強度分布として理解されてよい。受信ビームは、アンテナから受信された、空間の異なる方向における無線信号の信号強度分布として理解されてよい。異なるビームは、異なるリソースとしてみなされてよい。異なるビームを用いて、同一の情報または異なる情報が送信されてよい。１つのビームは、データチャネル情報、制御チャネル情報、サウンディング信号等を送信するように構成された１または複数のアンテナポートを含んでよい。ビームは、例えば、プロトコルにおける空間フィルタ（spatial filter）であってよい。
【００６０】
ビームペアが、ビームのコンセプトに基づき形成される。通常、１つのビームペアは、送信端デバイスの１つの送信ビームおよび受信端デバイスの１つの受信ビームを含む。下りリンク方向において、送信端デバイスはネットワークデバイスであってよく、受信端デバイスは端末であってよい。上りリンク方向において、送信端デバイスは端末であってよく、受信端デバイスはネットワークデバイスであってよい。
【００６１】
ビームを示すためのビーム指示情報が用いられる。ビーム指示情報は、例えば、ビームのインデックス（例えば、ビームの相対番号、論理番号、物理番号等）、ビームで搬送される参照信号に対応するポート番号、ビームペアリンク（beam pair link, BPL）情報等の少なくとも１つの情報であってよい。代替的にビーム指示情報は、他の情報を用いて暗黙的に示されてもよいことに留意されたい。例えば、ビーム指示情報および当該他の情報との間には対応付けが存在する。従って、ビームは、当該他の情報を示すことで示されてよい。当該他の情報は、例えば、ビームの疑似コロケーション（quasi co-location, QCL）情報であってよい。ＱＣＬは、複数のリソース間に、１または複数の同一または類似の通信機能が存在することを示すために用いられる。一般に、異なるネットワークデバイスは、異なるチャネル大規模情報を有する。同一または類似の通信構成が、ＱＣＬ関係を有する複数のリソースに対し用いられてよい。例えば、２つのアンテナポート間にＱＣＬ関係が存在する場合、あるポートによってシンボルを送信するチャネル大規模特性は、他方のポートによってシンボルを送信するチャネル大規模特性から推定されてよい。大規模特性は、遅延拡散、平均遅延、ドップラー拡散、ドップラー周波数シフト、平均利得、受信パラメータ、端末受信ビーム番号、送信／受信チャネル相関、到達の受信角度、受信機アンテナの空間相関、主要な到達角度（angle of arrival, AoA）、平均的な到達角度、ＡｏＡ拡散等を含んでよい。
【００６２】
通信システム、例えば、５Ｇ新無線（new radio, NR）システムにおいて、ネットワークデバイスおよび端末はそれぞれ、１または複数のビームを生成してよい。例えば、信号が送信される前に、信号を送信するための比較的良好なチャネル品質を持つビームペアが、ビームアライメントを通して予め選択されてよい。信号は、例えば、データチャネル情報、制御チャネル情報、サウンディング信号等であってよい。
【００６３】
通信システムにおいては、比較的良好なチャネル品質が備わったビームペアは、下りリンク方向および上りリンク方向の両方で変更されてよい。ネットワークデバイスは、各ビームペアのチャネル品質を測定すべく、端末と周期的にまたはトリガ方式で対話してよく、および、ネットワークデバイスは、端末に対し最初にビームを構成するとき、または、現在の通信に端末によって用いられるビームを変更する必要があると決定したとき、ビーム構成プロシージャを実行してよい。ネットワークデバイスが、下りリンク方向のビームが端末に対し構成される必要があると決定すると、ネットワークデバイスは、下りリンクビーム構成プロシージャ、すなわち、ネットワークデバイスが端末に対し受信ビームを用いて信号を受信するように命令するプロシージャを実行する。受信ビームは、端末の任意の受信ビームであってよい。ネットワークデバイスが、上りリンク方向のビームが端末に対し構成される必要があると決定すると、ネットワークデバイスは、上りリンクビーム構成プロシージャ、すなわち、ネットワークデバイスが端末に対し送信ビームを用いて信号を送信するように命令するプロシージャを実行する。送信ビームは、端末の任意の送信ビームであってよい。
【００６４】
下りリンク方向において、同一の時点で、ネットワークデバイスが送信ビームを用いて信号を送信し、端末が当該送信ビームに対応する受信ビーム（例えば、送信ビームおよび受信ビームが同一のビームペアに属する）を用いて信号を受信する場合、ネットワークデバイスの挙動は、端末の挙動と整合があるとみなされる。そうでない場合、ネットワークデバイスの挙動は、端末の挙動と不整合であるとみなされる。上りリンク方向において、同一の時点で、端末が送信ビームを用いて信号を送信し、ネットワークデバイスが当該送信ビームに対応する受信ビーム（例えば、送信ビームおよび受信ビームが同一のビームペアに属する）を用いて信号を受信する場合、ネットワークデバイスの挙動は、端末の挙動と整合があるとみなされる。そうでない場合、ネットワークデバイスの挙動は、端末の挙動と不整合であるとみなされる。
【００６５】
本願で提供するビーム構成方法は、具体的には例えば、制御チャネル上でビーム構成を実行、または、データチャネル上でビーム構成を実行してよい。以下のすべての説明は、制御チャネル上でビーム構成が実行される一例を用いて記載されている。
【００６６】
以下に、制御チャネル上でビーム構成が実行されるとき、送信されるビーム構成情報について簡潔に説明する。
【００６７】
ビーム構成情報は、端末に対し、信号を伝送するために用いられるビームを構成するために用いられる。具体的には、ビームの関連情報を示すべく、伝送構成インデックス（transmission configuration index, TCI）、特にＴＣＩビットが、端末に示されてよい。ＲＲＣシグナリングまたはＭＡＣシグナリングを用いて送信される潜在的なビーム構成情報が、以下の表３に示されてよい。その前に、より良く理解するために、ＴＣＩの関連情報についてまず説明とよいだろう。
【００６８】
ＴＣＩは、情報を送信するための関連構成を示すために用いられてよく、例えば、端末によって用いられる受信ビームに関する情報を示すために用いられてよい。表１に示されるように、ＴＣＩの各ビットは、より上レイヤのシグナリングを用いて構成された１つのＴＣＩ状態に対応する。
【表１】
0006951025.tif 000002
【００６９】
表２に示されるように、各ＴＣＩ状態は、１つの参照信号セット（reference signal set, RS set）の構成情報に対応する。
【表２】
0006951025.tif 000003
【００７０】
図３に示されるように、各参照信号セット（RS set）の構成を具体的に用いて、１または複数の参照信号と、データチャネル参照信号との間のＱＣＬ関係が記述されてよい。
【表３】
0006951025.tif 000004
【００７１】
TCI-RS-SetConfig[x]は、参照信号セット構成ｘを示す。表３は、時間＃１においてキャリア＃１上で送信されたＳＳブロック番号＃ａと、受信パラメータに関するデータチャネル参照信号との間のＱＣＬ関係が存在すること、および、時間＃５においてキャリア＃３上で送信されたＣＳＩ‐ＲＳ番号＃Ａと、遅延拡散、平均遅延、ドップラー拡散、ドップラー周波数シフト、平均利得および受信パラメータに関するデータチャネル参照信号との間のＱＣＬ関係が存在すること、を示す。これらの情報を用いて、データチャネル信号を復調してよい。
【００７２】
ＳＳＢ番号は、ＳＳブロックインデックスであってよい。
【００７３】
ＣＳＩ−ＲＳ番号は、チャネル状態情報‐参照信号（channel state information-reference signal, CSI-RS）リソースインデックス（resource index）、ＣＳＩ−ＲＳリソースセットインデックス、ＣＳＩ‐ＲＳポートインデックス等であってよく、または、これらの組み合わせであってよい。
【００７４】
ＱＣＬ情報は、特定のパラメータであってよく、または、ＱＣＬタイプであってよい。異なるＱＣＬタイプは、異なるパラメータを含む。
【００７５】
時間情報は、スロット番号、サブフレーム番号、絶対時間、シンボル番号、周期番号等であってよい。
【００７６】
周波数リソース情報は、キャリア番号、帯域幅部分の番号等であってよい。
【００７７】
他の情報は、測定限界等を含んでよく、すなわち、ある期間の周波数におけるＲＳの測定結果が、データチャネルの復調を容易化すべく用いられ得ない。
【００７８】
また、ＴＣＩのすべての上述の構成が、ＲＲＣシグナリングおよび／またはＭＡＣシグナリングを用いて送信される。上述の様々な構成の検証時間（ｖａｌｉｄａｔｉｏｎ  ｔｉｍｅ）が、本願のビーム構成情報の検証時間と同一方法を用いることで、決定されてよい。
【００７９】
本願に記載の「同一の時間／同一の時点」は、同一の時間間隔（time interval, TI）を意味する。ＴＩは、ＬＴＥシステムにおける送信時間間隔（transmission time interval, TTI）、高周波数システムにおけるシンボルレベルの短ＴＴＩ、大きなサブキャリア間隔の短ＴＴＩ、５Ｇシステムにおけるスロット（slot）またはミニスロット（mini-slot）等であってよい。本願において、このことは限定されない。以下のすべての説明は、ＴＩがスロットである一例を用いて記載している。
【００８０】
本願において、任意の情報、例えば、特定の構成プロセスにおいてシグナリングを用いて構成されてよいｎ１、ｎ２、ｍ１またはｍ２のためのシグナリングは、限定ではないが、例えば、無線リソース制御（radio resource control, RRC）シグナリング、媒体アクセス制御（media access control, MAC）シグナリング、または下りリンク制御情報（downlink control information, DCI）の少なくとも１つであってよい。詳細について、再度後述することはしない。また、シグナリングを用いて構成されてよい任意の情報は、ビーム構成情報に保持されてよく、または、他の構成情報に保持されてよい。以下の説明は、シグナリングを用いて構成されてよい任意の情報が、ビーム構成情報に保持される一例を用いて記載されている。
【００８１】
本願の特定の例において、「ある時点から開始する予め設定された持続期間が期限切れになったとき、いくつかの段階を実行する」という目的は、タイマーを設定することで実現される。特定の実装においては、代替的に、当該目的は、時間ウィンドウ、時間オフセット等を設定することで実現されてよい。
【００８２】
図２および図３に示すように、ビーム構成方法が提供される。具体的に、方法は、以下の段階を含んでよい。
【００８３】
ネットワークデバイスは、ビーム構成情報を端末に送信し、ｎ番目のスロットでタイマーＴ２を開始し、ｎは０以上の整数であり、ビーム構成情報は、端末に対し、第１のビームで信号を伝送するよう命令するために用いられる。
【００８４】
第１のビームは、受信ビームまたは送信ビームであってよい。第１のビームが受信ビームの場合、この実施形態で提供されるビーム構成プロシージャは、具体的には下りリンクビーム構成プロシージャであり、当該ビーム構成情報は具体的に、端末に対し、第１のビームで信号を受信するよう命令するために用いられる。第１のビームが送信ビームの場合、この実施形態で提供されるビーム構成プロシージャは、具体的には上りリンクビーム構成プロシージャであり、当該ビーム構成情報は具体的に、端末に対し、第１のビームで信号を送信するよう命令するために用いられる。
【００８５】
ビーム構成情報を保持するシグナリングは、例えば、ＲＲＣシグナリング、ＭＡＣシグナリングまたはＤＣＩのうちの少なくとも１つであってよい。
【００８６】
ビーム構成情報は、第１のビームのビーム指示情報を保持してよい。ビーム指示情報の関連説明については、上述の説明を参照されたく、詳細について、再びここで説明はしない。
【００８７】
端末は、ビーム構成情報を受信し、ｎ番目のスロットでタイマーＴ１を開始する。
【００８８】
端末は、ビーム構成情報をチェックする。
【００８９】
チェックが成功した場合、端末は、（ｎ＋ｋ１）番目のスロットで、肯定応答（acknowledgement, ACK）メッセージをネットワークデバイスに送信する。当該ＡＣＫメッセージは、端末がビーム構成情報を正常に受信したことを、ネットワークデバイスに示すために用いられる。タイマーＴ１のタイミング時間が予め設定された持続期間に到達すると、端末は、第１のビームを用いて信号を伝送する。図２に示されるように、タイマーＴ１のタイミング時間が予め設定された持続期間に到達する前は、端末は、前回用いられたビームまたは既定のビームを用いて信号を伝送する。
【００９０】
チェックが失敗した場合、端末は、（ｎ＋ｋ１）番目のスロットで、否定応答（negative acknowledgement, NACK）メッセージをネットワークデバイスに送信する。当該ＮＡＣＫメッセージは、端末がビーム構成情報を正常に受信しないことを、ネットワークデバイスに示すために用いられる。この場合、端末は、タイマーＴ１のタイミング時間が予め設定された持続期間に到達するか否かに関わらず、前回用いられたビームまたは既定のビームを用いて信号を伝送する。
【００９１】
本明細書において、ｋ１は１以上の整数であり、ｋ１は、ネットワークデバイスが端末に対しシグナリングを用いて構成する値であってよく、または、例えば、プロトコルで規定される値といった予め設定された値であってよい。この実施形態において、通常、予め設定された持続期間は、ｋ１スロットより大きい。以下の実施形態において、予め設定された持続期間およびｋ１スロットは、この関係を満たさなくてよい。
【００９２】
予め設定された持続期間は、ネットワークデバイスによって端末に対し構成されてよく、例えば、ビーム構成情報または他の構成情報に保持されて、端末に送信される。具体的には、予め設定された持続期間は、端末によってフィードバックされる端末の能力情報に基づき、ネットワークデバイスによって決定されてよい。同一のまたは異なる予め設定された持続期間が、異なる端末に対し構成されてよい。もちろん、予め設定された持続期間は予め設定されてよく、例えば、プロトコルを用いて予め設定されてよい。
【００９３】
第１のビームを用いて信号を伝送することは、第１のビームでの信号伝送が検証されることであるとして理解されてよく、すなわち、後続的に信号がネットワークデバイスと端末との間で伝送される必要がある場合、信号は第１のビームを用いて伝送される。例えば、下りリンクビーム構成プロシージャにおいて、第１のビームを用いて信号を伝送することは、第１のビームにおける、このビーム構成プロシージャで構成される信号受信が検証されることとして理解されてよく、すなわち、後続的に端末は第１のビームをモニタリングして、ネットワークデバイスによって送信された信号を受信する。
【００９４】
以下において、「第２のビームを用いて信号を伝送すること」、「ビームセットにおける各ビームを用いて信号を伝送すること」等の意味は、「第１のビームを用いて信号を伝送すること」と同様の意味を有し、詳細について、再度後述はしない。
【００９５】
下りリンクビーム構成プロシージャにおいて、前回用いられたビームは、前回端末によって用いられた受信ビームであり、既定ビームは、既定で端末によって用いられる受信ビームである。
【００９６】
既定で端末によって用いられる受信ビームは、ネットワークデバイスが端末に対し、より上レイヤのシグナリング（例えば、ＲＲＣシグナリングまたはＭＡＣシグナリング）を用いて構成する受信ビームであってよく、それは、例えば、端末が初期アクセスに用いる同期信号ブロック（synchronization signal block, SSB）のビーム、ＴＣＩの第１の状態に対応する受信ビーム、前回用いられた受信ビーム、無指向性受信ビーム等のいずれであってもよい。
【００９７】
随意で、端末は、異なるシナリオにおいて、既定で異なるビームを用いてよい。以下に、いくつかの随意の方式について記載する。
【００９８】
ＴＣＩテーブルが、より上レイヤのシグナリング（例えば、ＲＲＣシグナリング）を用いて構成されていない場合、初期アクセスに用いられるビームが用いられる。
【００９９】
ＴＣＩテーブルが、より上レイヤのシグナリングを用いて構成されているが、明示的なＴＣＩ指標が存在しない場合、ＴＣＩの第１の状態に対応するビームが用いられる。
【０１００】
より上レイヤシグナリングを用いてＴＣＩテーブルが構成されており、明示的なＴＣＩ指標が存在するが、ＴＣＩ検証時間（すなわち、本願における予め設定された持続期間）が、予め定められた閾値（閾値は、端末の機能に基づき決定されてよい）未満である場合、前回用いられたビーム、ワイドビーム、または予め定義されたフォールバックビームが用いられる。
【０１０１】
上りリンクビーム構成プロシージャにおいては、前回用いられたビームは、前回端末によって用いられた送信ビームであり、既定のビームは、既定で端末により用いられる送信ビームである。既定で端末により用いられる送信ビームは、ネットワークデバイスが端末に対し構成してよい。
【０１０２】
通常、端末が明示的なビーム指標を有さない場合、または、暗黙的なビーム指標を有する場合、端末は、端末によって既定で用いられるビーム（既定の送信ビームまたは既定の受信ビームを含む）用いて、情報を伝送してよいことに留意されたい。端末によって既定で用いられるビームは、更新可能である。ネットワークデバイスが、端末に対し既定の受信ビームを示す場合、ネットワークデバイスはまた、ネットワークデバイスによって既定で用いられる送信ビームを維持して、端末が、ネットワークデバイスが既定の送信ビームを用いて送信した信号を、既定の受信ビーム上で正しく受信できることを保証する。ネットワークデバイスが、端末に対し既定の送信ビームを示す場合、ネットワークデバイスはまた、ネットワークデバイスによって既定で用いられる受信ビームを維持して、ネットワークデバイスが、端末が既定の送信ビームを用いて送信した信号を、既定の受信ビーム上で正しく受信できることを保証する。
【０１０３】
端末がＡＣＫメッセージをネットワークデバイスに送信する場合、および、ネットワークデバイスが、（ｎ＋ｋ１）番目のスロットでＡＣＫメッセージを受信する場合、タイマーＴ２のタイミング時間が予め設定された持続期間に到達したときに、ネットワークデバイスは、第２のビームを用いて信号を伝送することを理解されたい。
【０１０４】
ネットワークデバイスが、（ｎ＋ｋ１）番目のスロットでＡＣＫメッセージまたはＮＡＣＫメッセージを受信しない場合、ネットワークデバイスは、端末がビーム構成情報を正常に受信したかどうかがわからない。従って、ネットワークデバイスは、タイマーＴ２のタイミング時間が予め設定された持続期間に到達したか否かに関わらず、前回用いられたビームまたは既定のビームを用いて、信号を伝送する。（ｎ＋ｋ１＋ｎ２）番目のスロットで、ネットワークデバイスは、ビーム構成情報を再送信する、すなわち、ビーム構成プロシージャを再び実行する。本明細書において、ｎ２は１以上の整数であり、ｎ２はシグナリングを用いて構成される値であってよく、または予め設定された値、例えば、プロトコルの予め設定された値であってよく、ｎ２はｎ１と等しい、または等しくなくてよい。図２に示される通り、タイマーＴ２のタイミング時間が予め設定された持続期間に到達する前は、ネットワークデバイスは、前回用いられたビームまたは既定のビームを用いて信号を伝送する。
【０１０５】
第１のビームが送信ビームである場合、第２のビームは、受信ビームである。第２のビームを用いて信号を伝送することは、具体的に、第１のビームを用いて端末が送信した信号を、第２のビームを用いて受信することである。第１のビームが受信ビームである場合、第２のビームは送信ビームである。第２のビームを用いて信号を伝送することは、具体的に、第２のビームを用いて、信号を端末に送信することである。
【０１０６】
図２には、ネットワークデバイスがｎ番目のスロットでビーム１を用いて信号を伝送し、端末がｎ番目のスロットでビームａを用いて信号を伝送する一例を用いて、説明が示されている。ビーム１は、ビームａに対応するビームである。例えば、ビーム１およびビームａは、同一のビームペアに属する。第２のビームは、第１のビームに対応するビームである。例えば、第２のビームおよび第１のビームは、同一のビームペアに属する。図２から、タイマーＴ１のタイミング時間が予め設定された持続期間に到達すると、端末は第１のビームを用いて信号を伝送し、ネットワークデバイスは第２のビームを用いて信号を伝送することが理解できるだろう。
【０１０７】
端末がＮＡＣＫメッセージをネットワークデバイスに送信する場合、および、ネットワークデバイスが（ｎ＋ｋ１）番目のスロットでＮＡＣＫメッセージを受信する場合、ネットワークデバイスは、前回用いられたビームまたは既定のビームを用いて信号を伝送する。（ｎ＋ｋ１＋ｎ１）番目のスロットにおいて、ネットワークデバイスはビーム構成情報を再送信する、すなわち、ビーム構成プロシージャを再実行する。ここで、ｎ１は１以上の整数であり、ｎ１は、シグナリングを用いて構成された値であってよく、または、予め設定された値、例えば、プロトコルで規定された値であってよい。
【０１０８】
代替的に、ネットワークデバイスが（ｎ＋ｋ１）番目のスロットで、ＡＣＫメッセージまたはＮＡＣＫメッセージを受信しない場合、ネットワークは、端末がビーム構成情報を正常に受信したか否かがわからない。従って、ネットワークデバイスは、タイマーＴ２のタイミング時間が予め設定された持続期間に到達したか否かに関わらず、前回用いられたビームまたは既定のビームを用いて、信号を伝送する。（ｎ＋ｋ１＋ｎ２）番目のスロットにおいて、ネットワークデバイスは、ビーム構成情報を再送信する、すなわち、ビーム構成プロシージャを再実行する。本明細書において、ｎ２は１以上の整数であり、ｎ２はシグナリングを用いて構成された値であってよく、または、予め設定された値、例えば、プロトコルにおける予め設定された値であってよく、ｎ２はｎ１と等しい、または等しくなくてよい。
【０１０９】
下りリンクビーム構成プロシージャにおいて、ネットワークデバイスによって前回用いられたビームは、ネットワークデバイスによって前回用いられた送信ビームであり、既定ビームは、ネットワークデバイスによって既定で用いられる送信ビームである。ネットワークデバイスによって既定で用いられる送信ビームは、端末によって既定で用いられる受信ビームに対応する送信ビームであってよい。
【０１１０】
上りリンクビーム構成プロシージャにおいて、端末によって前回用いられたビームは、ネットワークデバイスによって前回用いられた受信ビームであり、既定のビームは、ネットワークデバイスによって既定で用いられる受信ビームである。ネットワークデバイスによって既定で用いられる受信ビームは、端末によって既定で用いられる送信ビームに対応する受信ビームであってよい。
【０１１１】
この実施形態において、端末は、ビーム構成情報の受信時に、タイマーＴ１を開始する。ネットワークデバイスは、ビーム構成情報の送信時に、タイマーＴ２を開始する。このようにして、端末が、（ｎ＋ｋ１）番目のスロットで、ネットワークデバイスにＡＣＫメッセージを送信する場合、端末は、タイマーＴ１のタイミング時間の予め設定された持続期間への到達時に、第１のビームを用いて信号を伝送する。しかしながら、ネットワークデバイスが（ｎ＋ｋ１）番目のスロットでＡＣＫメッセージを受信しない場合、ネットワークデバイスは、タイマーＴ２のタイミング時間が予め設定された持続期間に到達した場合であっても、第２のビームを用いて信号を伝送することを開始しない。これは、ネットワークデバイスと端末との間の挙動の不整合性を生じさせ、結果的に、後続の通信の品質が比較的劣悪となり得、さらには相互通信が実施できないことすら生じさせ得る。例えば、図３は、このシナリオにおける概略図である。図３には、ネットワークデバイスがｎ番目のスロットでビーム１を用いて信号を伝送し、端末がｎ番目のスロットでビームａを用いて信号を伝送する一例を用いて、説明が示されている。図３から、タイマーＴ１のタイミング時間が予め設定された持続期間に到達するとき、端末は第１のビームを用いて信号を伝送すること、この場合、ネットワークデバイスは依然として、ビーム１を用いて信号を伝送することが理解できるだろう。
【０１１２】
これに基づき、本願は、以下のビーム構成方法を提供する。
［実施形態１］
【０１１３】
図４から図７は、本実施形態によるビーム構成方法の概略図である。この実施形態における関連内容の説明については、上述の説明を参照されたい。この実施形態で提供される方法は、以下の段階を含んでよい。
【０１１４】
Ｓ２０１：ネットワークデバイスは、ｎ番目のスロットでビーム構成情報を端末に送信し、ｎは０以上の整数であり、ビーム構成情報は、端末に対し、第１のビームで信号を伝送するよう命令するために用いられる。
【０１１５】
第１のビームが受信ビームである場合、この実施形態で提供されるビーム構成プロシージャは、具体的に、下りリンクビーム構成プロシージャである。第１のビームが送信ビームである場合、この実施形態で提供されるビーム構成プロシージャは、具体的に、上りリンクビーム構成プロシージャである。
【０１１６】
Ｓ２０２：端末は、ｎ番目のスロットでビーム構成情報を受信する。
【０１１７】
Ｓ２０３：端末は、ビーム構成情報をチェックする。
【０１１８】
チェックが成功した場合、端末は、（ｎ＋ｋ１）番目のスロットでＡＣＫメッセージをネットワークデバイスに送信し、タイマーＴ１を開始する。図４から図７に示される通り、タイマーＴ１のタイミング時間が予め設定された持続期間に到達するとき、端末は、第１のビームを用いて信号を伝送する。タイマーＴ１のタイミング時間が予め設定された持続期間に到達する前は、端末は、前回用いられたビームまたは既定のビームを用いて信号を伝送する。
【０１１９】
チェックが失敗した場合、端末は、（ｎ＋ｋ１）番目のスロットで、ＮＡＣＫメッセージをネットワークデバイスに送信する。この場合、端末はタイマーＴ１を開始せず、従って、前回用いられたビームまたは既定のビームを用いて信号を伝送する。
【０１２０】
ネットワークデバイスは、段階Ｓ２０４ａ、Ｓ２０４ｂまたはＳ２０４ｃを実行してよい。段階Ｓ２０３において、端末がＡＣＫメッセージをネットワークデバイスに送信する場合、ネットワークデバイスは、段階Ｓ２０４ａまたはＳ２０４ｃを実行してよいことを理解されたい。段階Ｓ２０３において、端末がＮＡＣＫメッセージをネットワークデバイスに送信する場合、ネットワークデバイスは、段階Ｓ２０４ｂまたはＳ２０４ｃを実行してよい。
【０１２１】
Ｓ２０４ａ：図４および図５に示される通り、ネットワークデバイスは、（ｎ＋ｋ１）番目のスロットでＡＣＫメッセージを受信する場合、タイマーＴ２を開始し、その後、ネットワークデバイスは、タイマーＴ２のタイミング時間が予め設定された持続期間に到達したときに、第２のビームを用いて信号を伝送する。タイマーＴ２のタイミング時間が予め設定された持続期間に到達する前は、ネットワークデバイスは、前回用いられたビームまたは既定のビームを用いて信号を伝送する。図５には、ネットワークデバイスがｎ番目のスロットでビーム１を用いて信号を伝送し、端末がｎ番目のスロットでビームａを用いて信号を伝送する一例を用いて説明が示されている。
【０１２２】
図４および図５を参照すると、ネットワークデバイスおよび端末は、（ｎ＋ｋ１）番目でそれぞれのタイマーを開始し、それぞれのタイマーが同一の予め設定された持続期間に到達したとき、第１のビーム／第２のビームを用いて信号を伝送することが理解できるだろう。従って、端末の挙動は、ネットワークデバイスの挙動と整合し、その結果、信号伝送性能が向上され得る。
【０１２３】
Ｓ２０４ｂ：ネットワークデバイスが（ｎ＋ｋ１）番目のスロットでＮＡＣＫメッセージを受信した場合、ネットワークデバイスは、（ｎ＋ｋ１＋ｎ１）番目のスロットでビーム構成情報を再送信する、すなわち、ビーム構成プロシージャを再実行する。
【０１２４】
ビーム構成プロシージャが再実行される前に、端末はタイマーＴ１を開始しないこと、およびネットワークデバイスはタイマーＴ２を開始しないことに留意されたい。従って、再実行されるビーム構成プロシージャについては、段階Ｓ２０１からＳ２０４で説明したビーム構成プロシージャを参照されたく、詳細についてここで再び説明はしない。ビーム構成プロシージャの再実行処理において、Ｓ２０４の実行時に、具体的に段階Ｓ２０４ａが実行される場合は、当該プロシージャは、Ｓ２０４ａが実行された後に終了することを理解されたい。具体的にＳ２０４ｂまたはＳ２０４ｃが実行される場合、ビーム構成プロシージャの実行時に最後に段階Ｓ２０４ａが実行されるまで、ビーム構成プロシージャが同じように再実行されてよく、そしてビーム構成プロシージャは終了する。特定の実装において、同一のビーム構成情報に対するビーム構成プロシージャの実行回数の最大値が設定されてよく、これにより、同一のビーム構成情報に対するビーム構成プロシージャの実行回数が最大値に到達すると、ネットワークデバイスがまだＡＣＫメッセージを受信していない場合も、当該プロシージャは終了する。もちろん、本願は、この点について限定はされない。
【０１２５】
ビーム構成プロシージャが再実行される前に、端末はタイマーＴ１を開始しないこと、およびネットワークデバイスはタイマーＴ２を開始しないことを理解されたい。従って、ビーム構成プロシージャが再実行される前は、端末およびネットワークデバイスはそれぞれ、前回用いられたビームまたは既定のビームを用いて信号を伝送する。
【０１２６】
Ｓ２０４ｃ：ネットワークデバイスが（ｎ＋ｋ１）番目のスロットでＡＣＫメッセージまたはＮＡＣＫメッセージを受信しない場合、ネットワークデバイスはビーム構成情報を再送信する、すなわち、（ｎ＋ｋ１＋ｎ２）番目のスロットでビーム構成プロシージャを再実行する。
【０１２７】
ビーム構成プロシージャが再実行される場合、以下の２つのケースが具体的に含まれてよい。
【０１２８】
ケース１：段階Ｓ２０３で、端末がＡＣＫメッセージをネットワークデバイスに送信する場合、ビーム構成プロシージャが再実行される前に、端末はタイマーＴ１を開始済みであるが、ネットワークデバイスはタイマーＴ２を開始していない。この場合、図６および図７に示される通り、端末は再送信されたビーム構成情報の受信時、すなわち、（ｎ＋ｋ１＋ｎ２）番目のスロットで、タイマーＴ１を停止し、その後、再受信したビーム構成情報に対するＡＣＫメッセージをネットワークデバイスに送信するとき、タイマーＴ１を開始してよい。このようにして、ビーム構成プロシージャが再実行されるとき、ネットワークデバイスのタイマーＴ２および端末のタイマーＴ１が、同時に計時を開始することが保証でき、その結果、これらタイマーは同時に予め設定された持続期間に到達できる。そして、端末がネットワークデバイスにＡＣＫメッセージをフィードバックし、ネットワークデバイスがＡＣＫメッセージを受信するときに、端末が第１のビームを用いて信号を伝送し、ネットワークデバイスが第２のビームを用いて信号を伝送する、すなわち、端末の挙動とネットワークデバイスの挙動とが整合し、これにより信号伝送性能が向上する。再実行されるビーム構成プロシージャの他の段階については、段階Ｓ２０１からＳ２０４で説明されたビーム構成プロシージャにおける関連する段階を参照されたく、詳細についてここで再度説明はしない。図６および図７中の説明は、ビーム構成プロシージャの再実行処理において、端末が、（ｎ＋ｋ１＋ｎ２＋ｋ１）番目のスロットでＡＣＫメッセージをネットワークデバイスに送信し、ネットワークデバイスが、（ｎ＋ｋ１＋ｎ２＋ｋ１）番目のスロットでＡＣＫメッセージを受信する一例を用いて記載されている。もちろん、本願はこの点において限定はさらない。図７中の説明は、ネットワークデバイスがｎ番目のスロットでビーム１を用いて信号を伝送し、端末がｎ番目のスロットでビームａを用いて信号を伝送する一例を用いて記載されている。
【０１２９】
ケース２：段階Ｓ２０３で、端末がＮＡＣＫメッセージをネットワークデバイスに送信する場合、ビーム構成プロシージャが再実行される前に、端末はタイマーＴ１を開始せず、およびネットワークデバイスはタイマーＴ２を開始しない。従って、再実行されるビーム構成プロシージャについては、段階Ｓ２０１からＳ２０４ａ、Ｓ２０４ｂ、またはＳ２０４ｃで説明したビーム構成プロシージャを参照されたく、詳細についてここで再度説明はしない。再実行されるビーム構成プロシージャ、並びにビーム構成プロシージャが再実行される前に端末およびネットワークデバイスによって用いられるビームの説明については、段階Ｓ２０４ｂの関連内容を参照されたく、詳細についてここで再び説明はしない。
【０１３０】
この実施形態において、端末は、ビーム構成情報に対するＡＣＫメッセージをネットワークデバイスに送信するときに、タイマーＴ１を開始する。ネットワークデバイスは、当該ＡＣＫメッセージを受信するときに、タイマーＴ２を開始する。図４から図７および上述の解析を参照すると、この実施形態で提供される技術的解決手段は、ネットワークデバイスが、ビーム構成情報に対するＡＣＫメッセージまたはＮＡＣＫメッセージを受信するとき、および、ネットワークデバイスがＡＣＫメッセージまたはＮＡＣＫメッセージを受信しないときの両方の場合において、端末とネットワークデバイスとの間の挙動の整合性を保証することで、信号伝送性能を向上できることが理解できるだろう。
［実施形態２］
【０１３１】
図８から図１１は、本実施形態によるビーム構成方法の概略図である。この実施形態における関連内容の説明については、上述の説明を参照されたい。この実施形態で提供される方法は、以下の段階を含んでよい。
【０１３２】
段階Ｓ３０１およびＳ３０２については、段階Ｓ２０１およびＳ２０２を参照されたい。もちろん、本願はこの点において限定はされない。
【０１３３】
この実施形態において、第１のビームは受信ビームであり、第２のビームは送信ビームであり、すなわち、この実施形態で提供されるビーム構成プロシージャは、具体的には、下りリンクビーム構成プロシージャである。
【０１３４】
Ｓ３０３：端末は、ビーム構成情報をチェックする。
【０１３５】
チェックが成功した場合、端末は、（ｎ＋ｋ１）番目のスロットでＡＣＫメッセージをネットワークデバイスに送信し、タイマーＴ１を開始する。図８から図１１に示される通り、タイマーＴ１のタイミング時間が予め設定された持続期間に到達したとき、端末はビームセットにおける各ビームを用いて信号を受信する。タイマーＴ１のタイミング時間が予め設定された持続期間に到達する前は、端末は、前回用いられたビームまたは既定のビームを用いて、信号を受信する。
【０１３６】
チェックが失敗すると、端末は、（ｎ＋ｋ１）番目のスロットで、ＮＡＣＫメッセージをネットワークデバイスに送信する。この場合、端末はタイマーＴ１を開始せず、従って、端末は、前回用いられたビームまたは既定のビームを用いて信号を受信する。
【０１３７】
ビームセットは、第１のビームに加えさらに、前回端末によって用いられた受信ビーム、既定で端末によって用いられる受信ビーム、第１のビームをカバーするビーム等のビームのうちの少なくとも１つを含んでよい。各ビームは、特定のカバレッジを有する。第１のビームをカバーするビームは、そのカバレッジが第１のビームのカバレッジを含むビームである。
【０１３８】
ネットワークデバイスは、段階Ｓ３０４ａ、Ｓ３０４ｂまたはＳ３０４ｃを実行してよい。段階Ｓ３０３において、端末がＡＣＫメッセージをネットワークデバイスに送信する場合、ネットワークデバイスは、段階Ｓ３０４ａまたはＳ３０４ｃを実行してよいことを理解されたい。段階Ｓ３０３において、端末がＮＡＣＫメッセージネットワークデバイスに送信する場合、ネットワークデバイスは、段階Ｓ３０４ｂまたはＳ３０４ｃを実行してよい。
【０１３９】
Ｓ３０４ａ：ネットワークデバイスが（ｎ＋ｋ１）番目のスロットでＡＣＫメッセージを受信する場合、ネットワークデバイスはタイマーＴ２を開始し、タイマーＴ２のタイミング時間が予め設定された持続期間に到達するとき、ネットワークデバイスは、第２のビームを用いて信号を送信する。ネットワークデバイスが後続的に信号を端末に送信する場合、ネットワークデバイスは、具体的に、第２のビームで信号を送信することを理解されたい。端末は、第１のビームで信号を受信する。
【０１４０】
Ｓ３０４ｂ：ネットワークデバイスが（ｎ＋ｋ１）番目のスロットでＮＡＣＫメッセージを受信する場合、ネットワークデバイスは、（ｎ＋ｋ１＋ｎ１）番目のスロットで、ビーム構成情報を再送信する、すなわち、ビーム構成プロシージャを再実行する。再実行されるビーム構成プロシージャについては、段階Ｓ２０４ｂの関連説明を参照されたく、詳細についてここで再度説明はしない。
【０１４１】
Ｓ３０４ｃ：ネットワークデバイスが（ｎ＋ｋ１）番目のスロットで、ＡＣＫメッセージまたはＮＡＣＫメッセージを受信しない場合、ネットワークデバイスは、前回用いられたビームまたは既定のビームを用いて、信号を送信する。ネットワークデバイスが後続的に信号を端末に送信する場合、ネットワークデバイスは、具体的に第２のビーム以外のビームで信号を送信することを理解されたい。通常、端末は、第１のビーム以外のビームで信号を受信する。
【０１４２】
端末が（ｎ＋ｋ１）番目のスロットでＡＣＫメッセージをネットワークデバイスに送信するとき、すなわち、端末がビーム構成情報を正常にチェックするときにのみ、端末はビーム構成情報を用いて構成された第１のビームを認識できること、および、端末はさらに、第１のビームと第１のビーム以外のビームとの間を区別できることを理解されたい。この場合、ネットワークデバイスは、ＡＣＫメッセージを受信してよく、またはＡＣＫメッセージを受信しなくてよい。これに基づき、端末がＡＣＫメッセージを送信するとき、端末は、後続的に段階Ｓ３０５を実行してよい。端末がＮＡＣＫメッセージを送信するときの、ネットワークデバイスおよび端末の両方の処理プロシージャについては、上記した実施形態１における関連説明を参照されたく、詳細についてここで再度説明はしない。
【０１４３】
端末は、段階Ｓ３０５ａ、Ｓ３０５ｂまたはＳ３０５ｃを実行してよい。段階Ｓ３０４において、段階Ｓ３０４ａが具体的に実行される場合、段階Ｓ３０５において、段階Ｓ３０５ａまたはＳ３０５ｃが実行されてよいことを理解されたい。段階Ｓ３０４ｃにおいてＡＣＫメッセージが受信されない場合、段階Ｓ３０５ｂまたはＳ３０５ｃが実行されてよい。
【０１４４】
Ｓ３０５ａ：図８および図９に示される通り、端末が（ｎ＋ｋ１＋ｒ）番目のスロットから（ｎ＋ｋ１＋ｒ＋ｍ１）番目のスロットまでのスロットにおいて、第１のビームで信号を受信する場合、ネットワークデバイスは当該スロットにおいて、第２のビームを用いて信号を送信する、すなわち、ネットワークデバイスは（ｎ＋ｋ１）番目のスロットでＡＣＫメッセージを受信すること、従って、端末は第１のビームを用いて信号を受信することを示す。このようにして、ネットワークデバイスと端末との間の挙動の整合性を実現することで、情報送信の効率を向上できる。ここで、ｒは予め設定された持続期間であり、ｍ１は１以上の整数であり、ｍ１はシグナリングを用いて構成された値であってよく、または、例えば、プロトコルで規定された値といった、予め設定された値であってよい。
【０１４５】
Ｓ３０５ｂ：端末が（ｎ＋ｋ１＋ｒ）番目のスロットから（ｎ＋ｋ１＋ｒ＋ｍ１）番目のスロットまでにおいて、ビームセットにおける第１のビーム以外のビーム（換言すると、第１のビームではないビーム）で信号を受信する場合、ネットワークデバイスは、（ｎ＋ｋ１）番目のスロットでＡＣＫメッセージを受信しないことを示し、従って、端末は以下の２つの方式のうちの一方の実行を継続してよい。
【０１４６】
方式１：タイマーＴ１のタイミング時間が予め設定された持続期間に到達したとき、端末は、ＡＣＫメッセージをネットワークデバイスに送信し、タイマーＴ１を開始し、ビームセットにおける各ビームを用いて信号を受信する。この方式では、端末は、信号が受信されるのと同一のスロットにおいて、または当該スロットより後のいくつかのスロットにおいて、ＡＣＫメッセージをネットワークデバイスに送信してよい。
【０１４７】
後続的に、ネットワークデバイスは、ＡＣＫメッセージの受信時にタイマーＴ２を開始し、タイマーＴ２のタイミング時間が予め設定された持続期間に到達したとき、第２のビームを用いて、信号を送信する。次に、図１０に示される通り、段階Ｓ３０５ａ、Ｓ３０５ｂまたはＳ３０５ｃが再実行されてよい。図１０中の説明は、段階Ｓ３０５ｂが具体的に実行される一例を用いて記載されている。
【０１４８】
（ｎ＋ｋ１＋ｒ）番目のスロットにおいて、（ｎ＋ｋ１）番目のスロットで端末によって開始されたタイマーＴ１のタイミング時間が、予め設定された持続期間に到達し、タイマーＴ１のタイミング時間が予め設定された持続期間に到達したとき、通常タイマーは、自動的に計時を停止することを理解されたい。従って、方式１において、端末はタイマーＴ１を再設定する代わりに、タイマーＴ１を再開してよい。
【０１４９】
方式２：端末は、エラー指標をネットワークデバイスに送信し、エラー指標は、ネットワークデバイスに対し、ビーム構成情報を端末に再送信するよう命令するために用いられる。図１１に示される通り、再実行されるビーム構成プロシージャの関連説明については、上述の説明を参照されたく、詳細について、ここで再度説明はしない。
【０１５０】
Ｓ３０５ｃ：端末が（ｎ＋ｋ１＋ｒ）番目のスロットから（ｎ＋ｋ１＋ｒ＋ｍ１）番目のスロットにおいて信号を受信しない場合、端末は、ビーム構成要求をネットワークデバイスに送信し、ビーム構成要求は、ネットワークデバイスに対し、ビーム構成情報を端末に再送信することを要求するために用いられる。再実行されるビーム構成プロシージャの関連説明については、上述の説明を参照されたく、詳細について、ここで再度説明はしない。
【０１５１】
この実施形態で提供される技術的解決手段は、端末が、マルチビーム送信をサポートするシナリオに適用されてよいことに留意されたい。特定の実装において、ネットワークデバイスは、端末の能力を認識してよい。これは、例えば、端末がマルチビーム送信をサポートする能力を有するかどうかを知るべく、ネットワークデバイスが、指示情報を端末に送信する、または、端末が、端末がマルチビーム送信をサポートする能力を有するかどうかをネットワークデバイスに能動的に報告する等の態様で行う。従って、ネットワークデバイスは、この実施形態で提供される方法をサポートする。
【０１５２】
この実施形態においては、端末は、ビーム構成情報に対するＡＣＫメッセージをネットワークデバイスに送信するときに、タイマーＴ１を開始する。ネットワークデバイスは、ＡＣＫメッセージを受信するときに、タイマーＴ２を開始する。また、タイマーＴ１のタイミング時間が予め設定された持続期間に到達したとき、端末は、ビーム構成情報を用いて構成された第１のビームを含むビームを用いて信号を受信する。図８から図１１および上述の解析を参照すると、この実施形態で提供される技術的解決手段は、ネットワークデバイスが、ビーム構成情報に対するＡＣＫメッセージまたはＮＡＣＫメッセージを受信するとき、および、ネットワークデバイスがＡＣＫメッセージまたはＮＡＣＫメッセージを受信しないときの両方の場合において、下りリンクビーム構成プロシージャにおける、端末とネットワークデバイスとの間の挙動の整合性を保証することで、信号伝送性能を向上できることが理解できるだろう。
［実施形態３］
【０１５３】
図１２は、本実施形態によるビーム構成方法の概略図である。この実施形態における関連内容の説明については、上述の説明を参照されたい。この実施形態で提供される方法は、以下の段階を含んでよい。
【０１５４】
段階Ｓ４０１およびＳ４０２については、段階Ｓ２０１およびＳ２０２を参照されたい。もちろん、本願はこの点において限定はされない。
【０１５５】
この実施形態において、第１のビームは送信ビームであり、第２のビームは受信ビームであり、すなわち、この実施形態で提供されるビーム構成プロシージャは、具体的には、上りリンクビーム構成プロシージャである。
【０１５６】
Ｓ４０３：端末は、ビーム構成情報をチェックする。
【０１５７】
チェックが成功した場合、端末は、（ｎ＋ｋ１）番目のスロットで、ＡＣＫメッセージをネットワークデバイス送信し、タイマーＴ１を開始する。図１２に示される通り、タイマーＴ１のタイミング時間が予め設定された持続期間に到達したとき、端末はビームセットにおける各ビームを用いて信号を送信する。タイマーＴ１のタイミング時間が予め設定された持続期間に到達する前は、端末は、前回用いられたビームまたは既定のビームを用いて、信号を伝送する。
【０１５８】
チェックが失敗した場合、端末は、（ｎ＋ｋ１）番目のスロットで、ＮＡＣＫメッセージをネットワークデバイスに送信する。この場合、端末はタイマーＴ１を開始せず、従って、端末は、前回用いられたビームまたは既定のビームを用いて信号を伝送する。
【０１５９】
ビームセットは、第１のビームに加え、さらに、前回端末によって用いられた送信ビーム、既定で端末によって用いられる送信ビーム、第１のビームをカバーするビーム等のビームのうちの少なくとも１つを含んでよい。
【０１６０】
ネットワークデバイスは、段階Ｓ４０４ａ、Ｓ４０４ｂまたはＳ４０４ｃを実行してよい。段階Ｓ４０３において、端末がＡＣＫメッセージをネットワークデバイスに送信する場合、ネットワークデバイスは、段階Ｓ４０４ａまたはＳ４０４ｃを実行してよいことを理解されたい。段階Ｓ４０３において、端末がＮＡＣＫメッセージをネットワークデバイスに送信する場合、ネットワークデバイスは、段階Ｓ４０４ｂまたはＳ４０４ｃを実行してよい。
【０１６１】
Ｓ４０４ａ：図１２に示される通り、ネットワークデバイスが、（ｎ＋ｋ１）番目のスロットでＡＣＫメッセージを受信する場合、ネットワークデバイスはタイマーＴ２を開始し、タイマーＴ２のタイミング時間が予め設定された持続期間に到達するとき、ネットワークデバイスは、第２のビームを用いて信号を受信する。
【０１６２】
Ｓ４０４ｂ：ネットワークデバイスが（ｎ＋ｋ１）番目のスロットでＮＡＣＫメッセージを受信する場合、ネットワークデバイスは、（ｎ＋ｋ１＋ｎ１）番目のスロットで、ビーム構成情報を再送信する、すなわち、ビーム構成プロシージャを再実行する。再実行されるビーム構成プロシージャについては、段階Ｓ２０４ｂの関連説明を参照されたく、詳細について、ここで再度説明はしない。
【０１６３】
Ｓ４０４ｃ：ネットワークデバイスが（ｎ＋ｋ１）番目のスロットで、ＡＣＫメッセージまたはＮＡＣＫメッセージを受信しない場合、ネットワークデバイスは、前回用いられたビームまたは既定のビームを用いて、信号を受信する。
【０１６４】
端末が（ｎ＋ｋ１）番目のスロットで、ＡＣＫメッセージをネットワークデバイスに送信するとき、すなわち、端末が、ビーム構成情報を正常にチェックするときにのみ、端末はビーム構成情報を用いて構成された第１のビームに関する情報を認識できること、および、端末はさらに、第１のビームと第１のビーム以外のビームとの間を区別できることを理解されたい。この場合、ネットワークデバイスは、ＡＣＫメッセージを受信してよく、またはＡＣＫメッセージを受信しなくてよい。これに基づき、端末がＡＣＫメッセージを送信するとき、端末は、後続的に段階Ｓ４０５を実行してよい。端末がＮＡＣＫメッセージを送信するときの、ネットワークデバイスおよび端末の両方の処理プロシージャについては、上記した実施形態１における関連説明を参照されたく、詳細について、ここで再度説明はしない。
【０１６５】
Ｓ４０５：図１２に示される通り、端末は（ｎ＋ｋ１＋ｒ＋ｍ２）番目のスロットにおいて、第１のビームを用いて信号を送信する。
【０１６６】
後続的に、ネットワークデバイスが（ｎ＋ｋ１＋ｒ）番目のスロットから、（ｎ＋ｋ１＋ｒ＋ｍ２）番目のスロットまでにおいて、第２のビーム以外のビームで信号を受信する場合、端末は複数のビームを用いて信号を送信すること、すなわち、端末はビーム構成情報を正常に受信することを示す。従って、ビーム構成プロシージャは終了する。代替的に、ネットワークデバイスが（ｎ＋ｋ１＋ｒ）番目のスロットから（ｎ＋ｋ１＋ｒ＋ｍ２）番目のスロットまでにおいて、信号を受信しない場合、ビーム構成プロシージャが再実行される。再実行されるビーム構成プロシージャについては、段階Ｓ２０４ｃにおける関連説明を参照されたい。段階Ｓ２０４ｃと異なり、段階Ｓ４０４ｃにおいては、端末のタイマーＴ１のタイミング時間が予め設定された持続期間に到達したとき、信号がビームセットにおける各ビームを用いて送信されることを理解されたい。
【０１６７】
この実施形態において、端末は、ビーム構成情報に対するＡＣＫメッセージをネットワークデバイスに送信するときに、タイマーＴ１を開始する。ネットワークデバイスは、ＡＣＫメッセージを受信するときに、タイマーＴ２を開始する。また、タイマーＴ１のタイミング時間が予め設定された持続期間に到達したとき、端末は、ビーム構成情報を用いて構成された第１のビームを含むビームを用いて信号を送信する。図１２および上述の解析を参照すると、この実施形態で提供される技術的解決手段は、ネットワークデバイスが、ビーム構成情報に対するＡＣＫメッセージまたはＮＡＣＫメッセージを受信するとき、および、ネットワークデバイスがＡＣＫメッセージまたはＮＡＣＫメッセージを受信しないときの両方の場合において、上りリンクビーム構成プロシージャにおける、端末とネットワークデバイスとの間の挙動の整合性を保証することで、信号伝送性能を向上できることが理解できるだろう。
［実施形態４］
【０１６８】
図１３および図１４は、本実施形態によるビーム構成方法の概略図である。この実施形態における関連内容の説明については、上述の説明を参照されたい。この実施形態で提供される方法は、以下の段階を含んでよい。
【０１６９】
Ｓ５０１：ネットワークデバイスは、ｎ番目のスロットで、ビーム構成情報を端末に送信し、ｎは０以上の整数であり、ビーム構成情報は、端末に対し、第１のビームで信号を伝送するよう命令するために用いられる。
【０１７０】
第１のビームが受信ビームである場合、この実施形態で提供されるビーム構成プロシージャは、具体的に、下りリンクビーム構成プロシージャである。第１のビームが送信ビームである場合、この実施形態で提供されるビーム構成プロシージャは、具体的に、上りリンクビーム構成プロシージャである。
【０１７１】
Ｓ５０２：端末は、ｎ番目のスロットでビーム構成情報を受信する。
【０１７２】
Ｓ５０３：端末は、ビーム構成情報をチェックする。
【０１７３】
チェックが成功した場合、端末は、（ｎ＋ｋ１）番目のスロットで、ＡＣＫメッセージをネットワークデバイスに送信する。
【０１７４】
チェックが失敗した場合、端末は、（ｎ＋ｋ１）番目のスロットで、ＮＡＣＫメッセージをネットワークデバイスに送信する。
【０１７５】
段階Ｓ５０３において、端末がＡＣＫメッセージをネットワークデバイスに送信する場合、ネットワークデバイスは、段階Ｓ５０４ａまたはＳ５０４ｃを実行してよいことを理解されたい。段階Ｓ５０３において、端末がＮＡＣＫメッセージをネットワークデバイスに送信する場合、ネットワークデバイスは、段階Ｓ５０４ｂまたはＳ５０４ｃを実行してよい。
【０１７６】
Ｓ５０４ａ：ネットワークデバイスが、（ｎ＋ｋ１）番目のスロットでＡＣＫメッセージを受信する場合、ネットワークデバイスは、（ｎ＋ｋ１＋ｑ）番目のスロットで、ＡＣＫメッセージが正常に伝送されたことを示す指示情報を端末に送信し、指示情報の送信時にタイマーＴ２を開始し、その後、タイマーＴ２のタイミング時間が予め設定された持続期間に到達したとき、第２のビームを用いて信号を伝送する。
【０１７７】
後続的に、図１３および図１４に示される通り、端末が（ｎ＋ｋ１＋ｑ）番目のスロットで、ＡＣＫメッセージが正常に伝送されたことを示す指示情報を受信し、指示情報の受信時、すなわち、（ｎ＋ｋ１＋ｑ）番目のスロットにおいて、タイマーＴ１を開始し、その後、タイマーＴ１のタイミング時間が予め設定された持続期間に到達したとき、第１のビームを用いて信号を伝送する。図１４中の説明は、ネットワークデバイスが、ｎ番目のスロットでビーム１を用いて信号を伝送し、端末がｎ番目のスロットでビームａを用いて信号を伝送する一例を用いて記載されている。
【０１７８】
ここで、ｑは１以上の整数であり、ｑは、シグナリングを用いて構成された値であってよく、または、予め設定された値、例えば、プロトコルで規定された値であってよい。
【０１７９】
Ｓ５０４ｂ：ネットワークデバイスが（ｎ＋ｋ１）番目のスロットでＮＡＣＫメッセージを受信した場合、ネットワークデバイスは、（ｎ＋ｋ１＋ｎ１）番目のスロットでビーム構成情報を端末に再送信する、すなわち、ビーム構成プロシージャを再実行する。再実行されるビーム構成プロシージャについては、上述のプロシージャを参照されたく、詳細についてここで再度説明はしない。
【０１８０】
Ｓ５０４ｃ：ネットワークデバイスが（ｎ＋ｋ１）番目のスロットでＡＣＫメッセージまたはＮＡＣＫメッセージを受信しない場合、ネットワークデバイスはビーム構成情報を端末に再送信する、すなわち、（ｎ＋ｋ１＋ｎ２）番目のスロットでビーム構成プロシージャを再実行する。再実行されるビーム構成プロシージャについては、段階Ｓ５０１からＳ５０４を参照されたく、詳細についてここで再度説明はしない。
【０１８１】
この実施形態においては、ネットワークデバイスと端末との間で、３方向ハンドシェイク（例えば、図１３中の段階Ｓ５０１、段階Ｓ５０３および段階Ｓ５０４ａで指示情報を送信／受信する段階）が実行される。また、ネットワークデバイスがビーム構成情報に対するＡＣＫメッセージが正常に伝送されたことを示す指示情報を端末に送信するとき、ネットワークデバイスは、タイマーＴ２を開始する。端末は、指示情報の受信時に、タイマーＴ１を開始する。また、端末およびネットワークデバイスは、それぞれのタイマーのタイミング時間が同一の予め設定された持続期間に到達するとき、第１のビーム／第２のビームを用いて信号を伝送し、その結果、端末の挙動がネットワークデバイスの挙動と整合されることで、信号伝送性能が向上される。ネットワークデバイスがＮＡＣＫメッセージを受信するとき、およびネットワークデバイスがＡＣＫメッセージまたはＮＡＣＫメッセージを受信しないときの両方の場合において、ネットワークデバイスは、指示情報を送信しない。従って、ネットワークデバイスおよび端末のいずれもが、タイマーを開始しない。これら２つの場合において、ビーム構成プロシージャが再実行されるとき、図１３に示されたプロシージャが実行されてよく、その結果、端末の挙動がネットワークデバイスの挙動と整合される。
【０１８２】
上述の２つの実施形態のいずれにおいても、同一のパラメータは、同一の値または異なる値を有してよいことに留意されたい。例えば、これらの実施形態において、予め設定された持続期間は、同一であってよく、または異なってよい。別の例においては、これらの実施形態において、ｎ１は、同一であってよく、または異なってよい。ここで、１つ１つ他の例を列挙することはしない。
【０１８３】
また、実施形態１および実施形態４は、端末がマルチビーム送信をサポートするシナリオに適用されてよく、または、端末がシングルビーム送信をサポートするシナリオに適用されてよいことに留意されたい。実施形態２および実施形態３は、端末がマルチビーム送信をサポートするシナリオに適用可能である。端末がマルチビーム送信をサポートするか否かは、端末の構成に基づいて決定される。マルチビーム送信とは、複数のビームを用いて信号を送信する、または信号を受信することである。実際の実装においては、随意で、ネットワークデバイスは、端末に対し、端末がマルチビーム送信をサポートする能力を有するか否かを報告するように命令すべく、指示情報を端末に送信してよい。または、端末は、ネットワークデバイスに対し、端末がマルチビーム送信をサポートする能力を有するか否かを能動的に報告してよい。または別の態様が用いられてよい。ネットワークデバイスは、端末がマルチビーム送信をサポートする能力を有するか否かを認識した後、ネットワークデバイスは、構成情報を用いて、端末に対し、複数のビームを用いることで、または複数のビームを用いないことで、信号を伝送するよう命令してよい。また、ネットワークデバイスは、構成情報を用いて、端末に対し、実施形態１から実施形態４までの方式でビーム構成を実行するよう命令してよい。
【０１８４】
本願の実施形態で提供される解決手段は、主に、方法の視点から上述されている。上述の機能を実現すべく、端末またはネットワークデバイスはそれぞれ、当該機能を実行するための対応するハードウェア構造および／またはソフトウェアモジュールを含む。当業者は、本明細書で開示した実施形態において説明される実施例に係るユニットおよびアルゴリズムの段階を組み合わせて、本願は、ハードウェアまたはハードウェアとコンピュータソフトウェアとの組み合わせで実装されてよいことを容易に理解するであろう。ある機能が、ハードウェアまたはハードウェアを駆動するコンピュータソフトウェアのいずれによって実行されるかは、特定の適用および当該技術的解決手段の設計上の制約条件により決まる。当業者は、各特定の適用に対し、説明された機能を実装すべく、異なる方法を用いてよいが、当該実装が本願の範囲を超えるとみなされるべきではない。
【０１８５】
本願の実施形態において、端末およびネットワークデバイスは、上述した方法の例により、複数の機能モジュールに分割されてよい。例えば、機能モジュールは、機能に基づく分割から得られてよく、または２または２より多い機能が、１つの処理モジュールに統合されてよい。統合モジュールは、ハードウェアの形態で実装されてよく、または、ソフトウェア機能モジュールの形態で実装されてよい。本願の実施形態において、モジュール分割は、一例であり、論理的機能分割に過ぎないことに留意されたい。実際の実装において、別の分割態様が存在してよい。
【０１８６】
図１５は、本願の一実施形態による通信デバイスを示す。図１５に示される通信デバイスは、送受信機ユニット１５０１および処理ユニット１５０２を含んでよい。通信デバイスは、端末であってよく、または、ネットワークデバイスであってよい。
【０１８７】
通信デバイス１５０が端末である場合、端末は、実施形態１から実施形態４のいずれかにおける端末によって実行される段階を実行するよう構成されてよい。
【０１８８】
通信デバイス１５０が、実施形態１から実施形態３に適用される場合：
【０１８９】
可能な設計において、送受信機ユニット１５０１は、ネットワークデバイスによって送信されたビーム構成情報を受信するよう構成され、ビーム構成情報は、端末に対し、第１のビームを用いて信号を伝送するよう命令するために用いられる。処理ユニット１５０２は、第１の時点から開始する第１の予め設定された持続期間が期限切れになるとき、少なくとも第１のビームを用いて信号を伝送するよう送受信機ユニット１５０１を構成するよう適合され、第１の時点は、端末がビーム構成情報に対するＡＣＫメッセージをネットワークデバイスに送信する時点である。例えば、図４、図６、図８および図１０から図１２を参照すると、第１の時点は、（ｎ＋ｋ１）番目のスロットであってよい。第１の予め設定された持続期間は、予め設定された持続期間であってよい。送受信機ユニット１５０１は、段階Ｓ２０２、Ｓ３０２またはＳ４０２を実行するよう構成されてよい。
【０１９０】
可能な設計において、処理ユニット１５０２は、具体的に、第１の時点において、タイマーを開始する、および、タイマーのタイミング時間が第１の予め設定された持続期間に到達したとき、少なくとも第１のビームを用いて信号を送信するよう送受信機ユニット１５０１を構成する、ように構成される。例えば、図４、図６、図８および図１０から図１２を参照すると、タイマーは、タイマーＴ１であってよく、送受信機ユニット１５０１は、段階Ｓ２０２、Ｓ３０２またはＳ４０２を実行してよい。処理ユニット１５０２は、送受信機ユニット１５０１と組み合わされて、段階Ｓ２０３、Ｓ３０３またはＳ４０３を実行してよい。
【０１９１】
可能な設計において、処理ユニット１５０２は、さらに、タイマーが第１の予め設定された持続期間に到達しないときに、送受信機ユニット１５０１がビーム構成情報を再度受信する場合、タイマーを停止する、および、第２の時点においてタイマーを開始する、ように構成されており、第２の時点は、端末が、再受信したビーム構成情報に対するＡＣＫメッセージをネットワークデバイスに送信する時点である。例えば、図６を参照すると、第２の時点は、（ｎ＋ｋ１＋ｎ２＋ｋ１）番目のスロットである。処理ユニット１５０２は、段階Ｓ２０４ｃにおいて、端末によって実行される伝送（受信および送信を含む）以外の段階を実行するように構成されてよい。
【０１９２】
可能な設計において、処理ユニット１５０２は、具体的に、第１の時点から開始する第１の予め設定された持続期間が期限切れになったとき、第１のビームに加え、前回用いられたビームまたは既定で用いられるビームを用いて、信号を伝送するように送受信機ユニット１５０１を構成するように適合されている。例えば、図８および図１０から図１２を参照すると、処理ユニット１５０２は、送受信機ユニット１５０１と組み合わされて、段階Ｓ３０３またはＳ４０３を実行してよい。
【０１９３】
可能な設計において、処理ユニット１５０２は、さらに、送受信機ユニット１５０１が第１のビームで信号を受信する場合、第１のビームを用いて信号を受信するように送受信機ユニット１５０１を構成するように適合されている。例えば、図８を参照すると、処理ユニット１５０２は、送受信機ユニット１５０１と組み合わされて、段階Ｓ３０５ａを実行してよい。
【０１９４】
可能な設計において、送受信機ユニット１５０１は、さらに、タイマーのタイミング時間が第１の予め設定された持続期間に到達した後、第１のビーム以外のビームで信号を受信する場合、ビーム構成情報に対するＡＣＫメッセージをネットワークデバイスに送信するよう構成されている。処理ユニット１５０２は、さらに、送受信機ユニット１５０１がＡＣＫメッセージを送信するとき、タイマーを開始する、および、タイマーのタイミング時間が第１の予め設定された持続期間に到達したとき、第１のビームを用いて信号を受信するように送受信機ユニット１５０１を構成する、ように構成されている。例えば、図１０を参照すると、送受信機ユニット１５０１は、方式１でＡＣＫメッセージを送信する段階を実行するように構成されてよい。処理ユニット１５０２は、方式１において、送信以外の段階を実行してよい。
【０１９５】
可能な設計において、送受信機ユニット１５０１は、さらに、第１のビーム以外のビームで信号を受信する場合、エラー指標をネットワークデバイスに送信するように構成されており、エラー指標は、ネットワークデバイスに対し、ビーム構成情報を再送信するよう命令するために用いられる。例えば、図１１を参照すると、送受信機ユニット１５０１は、方式２におけるエラー指標を送信する段階を実行するよう構成されてよい。
【０１９６】
可能な設計において、処理ユニット１５０２は、さらに、第３の時点から開始する第２の予め設定された持続期間が期限切れになるとき、第１のビームを用いて信号を送信するように送受信機ユニット１５０１を構成するように適合されており、第３の時点は、タイマーのタイミング時間が予め設定された持続期間に到達する時点である。例えば、図１２を参照すると、第３の時点は、（ｎ＋ｋ１＋ｒ）番目のスロットであってよく、第２の予め設定された持続期間は、ｍ２個のスロットである。処理ユニット１５０２は、送受信機ユニット１５０１と組み合わされて、段階Ｓ４０５を実行してよい。
【０１９７】
通信デバイス１５０が、実施形態４に適用される場合：
【０１９８】
送受信機ユニット１５０１は、ネットワークデバイスによって送信されたビーム構成情報を受信するように構成され、ビーム構成情報は、端末に対し、第１のビームを用いて信号を伝送するよう命令するために用いられ、ビーム構成情報に対するＡＣＫメッセージをネットワークデバイスに送信するように構成され、ネットワークデバイスによって送信された、ＡＣＫメッセージが正常に送信されたことを示す指示情報を受信するように構成されている。処理ユニット１５０２は、第４の時点から開始する予め設定された持続期間が期限切れになるとき、第１のビームを用いて信号を伝送するように送受信機ユニット１５０１を構成するように適合されており、第４の時点は、端末が指示情報を受信する時点である。図１３を参照すると、第４の時点は、（ｎ＋ｋ１＋ｑ）番目のスロットである。送受信機ユニット１５０１は、段階Ｓ５０２、Ｓ５０３およびＳ５０４ａにおいて、端末によって実行される受信および送信段階を実行するよう構成されてよい。
【０１９９】
可能な設計において、処理ユニット１５０２は、具体的に、第４の時点において、タイマーを開始する、および、タイマーのタイミング時間が予め設定された持続期間に到達したとき、第１のビームを用いて信号を伝送するように送受信機ユニット１５０１を構成する、ように構成されている。図１３を参照すると、タイマーは、タイマーＴ１である。処理ユニット１５０２は、送受信機ユニット１５０１と組み合わされて、段階Ｓ５０４ａを実行してよい。
【０２００】
通信デバイス１５０がネットワークデバイスである場合、ネットワークデバイスは、実施形態１から実施形態４のいずれかにおいて、ネットワークデバイスによって実行される段階を実行するよう構成されてよい。
【０２０１】
通信デバイス１５０が、実施形態１から実施形態３に適用される場合：
【０２０２】
送受信機ユニット１５０１は、ビーム構成情報を端末に送信するように構成されており、ビーム構成情報は、端末に対し、第１のビームを用いて信号を伝送するよう命令するために用いられる。処理ユニット１５０２は、第１の時点において、第１のビームに対応する第２のビームを用いて信号を伝送するように送受信機ユニット１５０１を構成するように適合されており、第１の時点は、ネットワークデバイスが、端末によって送信されるビーム構成情報に対するＡＣＫメッセージ受信する時点である。図４、図６、図８および図１０から図１２を参照すると、第１の時点は、（ｎ＋ｋ１）番目のスロットであってよい。送受信機ユニット１５０１は、段階Ｓ２０１、Ｓ３０１またはＳ４０１を実行するように構成されてよい。
【０２０３】
可能な設計において、処理ユニット１５０２は、具体的に、第１の時点において、タイマーを開始する、および、タイマーのタイミング時間が予め設定された持続期間に到達したとき、第１のビームに対応する第２のビームを用いて信号を伝送するように送受信機ユニット１５０１を構成する、ように構成されている。図４、図６、図８および図１０から図１２を参照すると、タイマーは、タイマーＴ２であってよい。処理ユニット１５０２は、段階Ｓ２０４ａまたはＳ２０４ｃ、段階Ｓ３０４ａにおいて、ネットワークデバイスによって実行される段階、図１０中の方式１におけるネットワークデバイスによって実行される段階、および送受信機ユニット１５０１と組み合わされて段階Ｓ４０４ａを実行してよい。
【０２０４】
可能な設計において、送受信機ユニット１５０１は、さらに、端末によって送信されるエラー指標を受信するように構成されており、エラー指標は、ネットワークデバイスに対し、ビーム構成情報を再送信するよう命令するために用いられ、および、エラー指標に従い、ビーム構成情報を端末に再送信するように構成されている。図１１を参照すると、送受信機ユニット１５０１は、方式２におけるエラー指標を受信する段階を実行するように構成されてよい。
【０２０５】
通信デバイス１５０が実施形態４に適用される場合：
【０２０６】
送受信機ユニット１５０１は、ビーム構成情報を端末に送信するように構成されており、ビーム構成情報は、端末に対し、第１のビームを用いて信号を送信するよう命令するために用いられ、端末によって送信される、ビーム構成情報に対するＡＣＫメッセージを受信するように構成されており、ＡＣＫメッセージが正常に伝送されたことを示す指示情報を端末に送信するように構成されている。処理ユニット１５０２は、第４の時点から開始する予め設定された持続期間が期限切れになるとき、第１のビームに対応する第２のビームを用いて信号を送信するように送受信機ユニット１５０１を構成するように適合されている。第４の時点は、ネットワークデバイスが指示情報を送信する時点である。図１３を参照すると、第４の時点は、（ｎ＋ｋ１＋ｑ）番目のスロットである。送受信機ユニット１５０１は、段階Ｓ５０１、Ｓ５０３およびＳ５０４ａにおいて、ネットワークデバイスによって実行される受信および送信段階を実行するよう構成されている。
【０２０７】
可能な設計において、処理ユニット１５０２は、具体的に、第４の時点においてタイマーを開始する、および、タイマーのタイミング時間が予め設定された持続期間に到達したとき、第１のビームに対応する第２のビームを用いて信号を伝送するように送受信機ユニット１５０１を構成する、ように構成されている。図１３を参照すると、処理ユニット１５０２は、送受信機ユニット１５０１と組み合わされて、段階Ｓ５０４ａを実行してよい。
【０２０８】
本願のこの実施形態で提供される通信デバイスは、上述のビーム構成方法を実行するよう構成されてよい。従って、通信デバイスによって得られる技術的効果については、上述した方法の実施形態を参照されたく、詳細について、本願のこの実施形態において再度説明することはしない。
【０２０９】
通信デバイス１５０のハードウェア実装については、図１６を参照されたい。図１６に示される通り、通信デバイス１６０は、メモリ１６０１、プロセッサ１６０２、送受信機１６０３およびバス１６０４を含んでよい。メモリ１６０１、プロセッサ１６０２および送受信機１６０３は、バス１６０４を用いて互いに接続される。処理ユニット１５０２は、プロセッサ１６０２を用いて実装されてよい。送受信機ユニット１５０１は、送受信機１６０３を用いて実装されてよい。メモリ１６０１は、コンピュータプログラムを格納するよう構成されている。
【０２１０】
通信デバイス１５０が端末の場合、メモリ１６０１内に格納されたコンピュータプログラムが、プロセッサ１６０２により実行されると、端末が、実施形態１から実施形態４までの端末によって実行される段階を実行できるようにする。送受信機１６０３は、プロセッサ１６０２の制御下、別の通信デバイス（例えば、ネットワークデバイス）と通信するように構成されている。
【０２１１】
通信デバイス１５０がネットワークデバイスの場合、メモリ１６０１内に格納されたコンピュータプログラムが、プロセッサ１６０２により実行されると、ネットワークデバイスが、実施形態１から実施形態４までのネットワークデバイスによって実行される段階を実行できるようにする。送受信機１６０３は、プロセッサ１６０２の制御下、別の通信デバイス（例えば、端末）と通信するように構成されている。
【０２１２】
メモリ１６０１は、ストレージチップ等であってよい。プロセッサ１６０２は、ＣＰＵ、汎用プロセッサ、デジタル信号プロセッサ（digital signal processor, DSP）、特定用途向け集積回路（application-specific integrated circuit, ASIC）、フィールドプログラマブルゲートアレイ（field programmable gate array, FPGA）、別のプログラム可能な論理デバイス、トランジスタ論理デバイス、ハードウェアコンポーネント、またはこれらの任意の組み合わせであってよい。プロセッサ１６０２は、本願で開示された内容を参照して説明されたロジックブロック、モジュールおよび回路の様々な例を実装または実行してよい。代替的に、プロセッサは、コンピューティング機能を実装する組み合わせ、例えば、１または複数のマイクロプロセッサを含む組み合わせ、あるいはＤＳＰおよびマイクロプロセッサの組み合わせであってよい。バス１６０４は、ペリフェラルコンポーネントインターコネクト（peripheral component interconnect, PCI）バス、拡張型業界標準アーキテクチャ（extended industry standard architecture, EISA）バス等であってよい。バスは、アドレスバス、データバス、制御バス等に分類されてよい。図１６中、図示の便宜上、バスは、１つの太線のみを用いて示されている。しかしながら、１つのみのバスが存在すること、または、１つのタイプのバスのみが存在することを示すわけではない。
【０２１３】
実施形態１から実施形態３で提供されるビーム構成方法および図１５および図１６で提供される通信デバイスの実施形態においては、第１の時点から開始する第１の予め設定された持続期間が期限切れになったとき、端末は少なくとも第１のビームを用いて信号を伝送する。ここで、第１の時点は、具体的に、ｙ番目のスロットである。例えば、実施形態１および実施形態３では、ｙ番目のスロットは、具体的に、端末がＡＣＫメッセージをネットワークデバイスに送信する（ｎ＋ｋ１）番目のスロットである。実施形態２では、ｙ番目のスロットは、端末がＡＣＫをネットワークデバイスに送信する（ｎ＋ｋ１＋ｎ２＋ｋ１）番目のスロットであってよい。もちろん、ｙ番目のスロットと、ネットワークデバイスがビーム構成情報を端末に送信するｎ番目のスロットとの間に、直接的な関係性はなく、ｙ番目のスロットは、端末がＡＣＫメッセージをネットワークデバイスに送信する時点を表わすに過ぎない。随意で、代替的に第１の時点は、ネットワークデバイスが、端末によってフィードバックされたＡＣＫメッセージを受信した後、ネットワークデバイスが指示情報を端末に送信し、端末が当該指示情報を受信した時点であってもよい。例えば、図１３および図１４に示される実施形態４においては、ｙ番目のスロットは具体的に、端末がネットワークデバイスの指示情報を受信する（ｎ＋ｋ１＋ｑ）番目のスロットである。
【０２１４】
ネットワークデバイスは、第１の時点から開始する予め設定された持続期間が期限切れになるとき、第１のビームに対応する第２のビームを用いて信号を伝送する。ここで、第１の時点は具体的には、ｙ番目のスロットであり、ネットワークデバイスは、ｙ番目のスロットにおいて、端末によって送信されたＡＣＫメッセージを受信する。例えば、実施形態１および実施形態３においては、ｙ番目のスロットは具体的に、ネットワークデバイスが、端末によってフィードバックされたＡＣＫメッセージを受信する（ｎ＋ｋ１）番目のスロットである。実施形態２においては、ｙ番目のスロットは、ネットワークデバイスが、端末によってフィードバックされたＡＣＫメッセージを受信する（ｎ＋ｋ１＋ｎ２＋ｋ１）番目のスロットであってよい。もちろん、ｙ番目のスロットと、ネットワークデバイスがビーム構成情報を端末に送信するｎ番目のスロットとの間に、直接的な関係性はなく、ｙ番目のスロットは、ネットワークデバイスが、端末によってネットワークデバイスにフィードバックされたＡＣＫメッセージを受信するスロットを表わすに過ぎない。端末によって送信されたＡＣＫメッセージを受信した後、ネットワークデバイスは、ネットワークデバイスがＡＣＫメッセージを受信したことを肯定応答すべく、指示情報を端末に送信する。この場合、代替的に、第１の時点は、端末が、ネットワークデバイスによって送信された指示情報が受信されたと決定するスロットであってもよい。例えば、図１３および図１４に示される実施形態４において、ｙ番目のスロットは、具体的に、（ｎ＋ｋ１＋ｑ）番目のスロットである。
【０２１５】
ネットワークデバイスと端末との間の挙動の整合性を実現すべく、ネットワークデバイスはビーム構成情報を端末に送信し、ビーム構成情報は、端末に対し具体的に、信号を伝送するために用いられるビームを構成するために用いられる。特定の実装において、ネットワークデバイスは、端末に対し、伝送構成インデックス（ＴＣＩ）ビットを用いて、ＴＣＩを示してよく、ＴＣＩビットは、ＴＣＩ状態に対応し、ＴＣＩ状態は、１または複数の参照信号と、データチャネル参照信号との間の疑似コロケーション（ＱＣＬ）関係に対応する。１つのＴＣＩ状態が信号を伝送するためのビームに対応する。この実施形態においては、ビーム構成情報を送信するためのシグナリングは、アクティブ化シグナリングと称される。
【０２１６】
端末は、ビーム構成情報の指示の下、アクティブ化シグナリングを適用してよく、または第１の予め設定された持続期間が期限切れになった後、ネットワークデバイスのアクティブ化シグナリングを適用してよい。具体的には、第１の予め設定された持続期間が期限切れになった後の次のスロットにおいて、端末は、信号を伝送するために用いられ、且つ、ネットワークデバイスによって送信されたビーム構成情報内のＴＣＩ状態に対応するビームを有効にする。信号が伝送されるべきとき、端末は、当該ビームを用いて信号を伝送する。例えば、端末は、送信ビームを用いて信号を送信する、または、受信ビームを用いて信号を受信する。
【０２１７】
ネットワークデバイスおよび端末が、ＰＤＣＣＨのＱＣＬについて同一の理解を有することを保証する一例が用いられる。例えば、基地局が、ＭＡＣ‐ＣＥアクティブ化シグナリングを用いてＣＯＲＥＳＥＴのＴＣＩを変更した後、端末は、ある時点で、ＭＡＣ‐ＣＥアクティブ化シグナリングによって示された情報を、ネットワークデバイスによって示された受信ビームに適用すべき、すなわち、当該時点で調整または切り替えすべきである。これに応じて、ネットワークデバイスは、ネットワークデバイスと端末との間のビームアライメントを保証すべく、同一の時点で送信ビームを調整すべきである。ビームアライメントを保証すべく、端末が、アクティブ化シグナリングを保持するＰＤＳＣＨに対するＨＡＲＱ‐ＡＣＫ応答を行った後、第１の予め設定された持続期間後に、端末は、アクティブ化シグナリングによって示されるＱＣＬの前提を適用開始する。
【０２１８】
当該方法は、ＰＤＳＣＨ／ＰＵＣＣＨ／ＣＳＩ‐ＲＳ／ＳＲＳを含む複数の他のビーム関連信号およびチャネルに適用され、ＰＤＳＣＨの利用可能なＴＣＩ構成に適用される。
【０２１９】
また、ＰＤＳＣＨの利用可能なＴＣＩは、一例として用いられている。端末が、ネットワークデバイスがＰＤＳＣＨを用いて端末に送信したビーム構成情報を受信した後、端末は、ＨＡＲＱ−ＡＣＫメッセージをネットワークデバイスに送信する。ＨＡＲＱ−ＡＣＫメッセージが、スロット（ｙ）でネットワークデバイスに送信されるとき、端末は、時点
【数１】
0006951025.tif 000005
で、アクティブ化シグナリングの適用を開始し、すなわち、信号の伝送に用いられる、且つネットワークデバイスによって送信されたビーム構成情報内で示されたビームの有効化を開始し、その結果、信号が伝送される必要があるとき、信号は当該ビームを用いて伝送される。
【０２２０】
以下の表４および表５に示される通り、
【数２】
0006951025.tif 000006
は、予め設定された持続期間（例えば、上述の第１の予め設定された持続期間）であり、Ｎは１サブフレーム内のスロット数であり、Ｎの値はシステムパラメータ
【数３】
0006951025.tif 000007
に関連する。
【表４】
0006951025.tif 000008
【表５】
0006951025.tif 000009
【０２２１】
【数４】
0006951025.tif 000010
はシステムパラメータの識別子であり、
【数５】
0006951025.tif 000011
の値は以下の表６に示されている。
【表６】
0006951025.tif 000012
【０２２２】
上りリンクスロットおよび下りリンクスロットは、異なるユニット長を有してよい。ＰＤＣＣＨが一例として用いられている。上りリンク送信のサブキャリア間隔（Subcarrier spacing, SCS）は、下りリンク送信のサブキャリア間隔とは異なってよい。例えば、図１７に示される通り、１５ｋＨｚのＳＣＳが上りリンク送信に用いられ、１個の上りリンクスロットの長さは１ミリ秒であり、１２０ｋＨｚのＳＣＳが下りリンク送信に用いられ、１個の下りリンクスロットの長さは０．１２５ミリ秒である。表６を参照すると、１５ｋＨｚのＳＣＳが上りリンク送信に用いられ、換言すると、
【数６】
0006951025.tif 000013
は１５ｋＨｚであり、
【数７】
0006951025.tif 000014
に対応するシステムパラメータ
【数８】
0006951025.tif 000015
は０である。１２０ｋＨｚのＳＣＳが下りリンク送信に用いられ、換言すると、
【数９】
0006951025.tif 000016
は１２０ｋＨｚであり、
【数１０】
0006951025.tif 000017
に対応するシステムパラメータ
【数１１】
0006951025.tif 000018
は３であることがわかるだろう。従って、上りリンク送信および下りリンク送信は、異なるシステムパラメータに対応し、上りリンクスロットおよび下りリンクスロットは異なるユニット長を有する。その結果、ネットワークデバイスおよび端末は、ＡＣＫメッセージが送信される第１の時点に対応するスロット、およびアクティブ化シグナリングが適用されるスロットに関し、異なる理解を有する。例えば、端末は、０番目の上りリンクスロットでＡＣＫメッセージを送信し、３ミリ秒後、換言すると３個の上りリンクスロット後の、第４番目の上りリンクスロットでアクティブ化シグナリングを適用する。ネットワークデバイスについては、３ミリ秒は２４個の下りリンクスロットに等しく、すなわち、ネットワークデバイスは、２４個の下りリンクスロット後の、第２５番目の下りリンクスロットでアクティブ化シグナリングを適用する。
【０２２３】
従って、第１の時点に対応するスロットと、第１の予め設定された持続期間が期限切れになった後にアクティブ化シグナリングが適用される時点に対応するスロットについて、ネットワークデバイスおよび端末はそれぞれ、下りリンクスロットおよび上りリンクスロットをタイミング基準として用いる。その結果、ネットワークデバイスおよび端末は、アクティブ化シグナリングが適用される時点（スロット）に関し、不整合な理解を有する。
【０２２４】
本願のこの実施形態において、アクティブ化シグナリングの適用に対応する時点に関する、ネットワークデバイスと端末との間の理解の整合性を実現すべく、第１の時点に対応するスロット、換言すると、上述したｙ番目のスロットまたはスロット（ｙ）に対応するスロットを決定するための、以下の複数の方式が存在する。
【０２２５】
方式１：第１の時点、つまり、ｙ番目のスロットは上りリンクスロット（ｙ）であり、すわなち、端末は、上りリンクキャリアコンポーネント（carrier component, CC）のシステムパラメータ、上りリンク帯域幅部分（bandwidth part, BWP）または上りリンクフレームに基づき、アクティブ化シグナリングが適用される時点を決定する。
【０２２６】
具体的には、図１８に示される通り、第１の時点は、端末がビーム構成情報に対する肯定応答（ＡＣＫ）メッセージをネットワークデバイスに送信する上りリンクスロット（ｙ）である。端末は、上りリンクスロット（ｙ）でタイマーを開始する。第１の予め設定された持続期間は、タイマーの長さである。第１の予め設定された持続期間はｘミリ秒であり、具体的には、３ミリ秒であってよい。または、ｍ個の上りリンクスロットであり、ｍは正の整数である。例えば、表６に示される通り、１個の上りリンクスロットが１５ｋＨｚのサブキャリア間隔を有し、１ミリ秒の長さを有する場合、タイマーの長さ、つまり、第１の予め設定された持続期間は、３個の上りリンクスロットであってよい。
【０２２７】
代替的に、端末が第１のビームを用いて信号を伝送するスロットは、
【数１２】
0006951025.tif 000019
に設定される。
【数１３】
0006951025.tif 000020
は上りリンクスロット（ｙ）を示し、第１の時点である。
【数１４】
0006951025.tif 000021
は第１の予め設定された持続期間であり、１は第１の予め設定された持続期間が期限切れになった後の次のスロットを示す。
【数１５】
0006951025.tif 000022
は、端末がＡＣＫメッセージをネットワークデバイスに送信する上りリンク
【数１６】
0006951025.tif 000023
において、端末がタイマーを開始し、第１の予め設定された持続期間
【数１７】
0006951025.tif 000024
の後の次の上りリンクスロットにおいて、アクティブ化シグナリングの適用を開始することを示す。Ｎは、１サブフレーム内のスロット数である。
【数１８】
0006951025.tif 000025
は、肯定応答ＡＣＫの送信に用いられる上りリンクキャリアコンポーネント、上りリンク帯域幅部分、または上りリンクフレームのシステムパラメータ
【数１９】
0006951025.tif 000026
に等しい。例えば、第１の予め設定された持続期間
【数２０】
0006951025.tif 000027
は３ミリ秒に等しい。  代替的に、表４および表６に示される通り、１個の上りリンクスロットが１５ｋＨｚのサブキャリア間隔を有し、１サブフレーム内のスロット数が１である場合、第１の予め設定された持続期間
【数２１】
0006951025.tif 000028
は３個の上りリンクスロットに等しい。信号は、第１の予め設定された持続期間が期限切れになった後、換言すると、３ミリ秒または３個の上りリンクスロットの後の次の上りリンクスロットにおいて、第１のビームを用いて伝送される。本明細書において、第１のビームを用いて信号を伝送することは、アクティブ化シグナリングを適用すること、アクティブ化シグナリングに対応する、ビーム構成情報内で示される第１のビームを有効化すること、および、信号が伝送される必要があるときに、第１のビームを用いて信号を伝送することである。
【０２２８】
これに応じて、ネットワークデバイスは、同一の方式で、第１の時点に対応するスロット、およびアクティブ化シグナリングが適用される時点を決定する。
【０２２９】
方式２：第１の時点、つまりｙ番目のスロットは下りリンクスロット（ｙ）であり、つまり、端末は、下りリンクＣＣ、下りリンクＢＷＰ、または下りリンクフレームのシステムパラメータの構成に基づき、アクティブ化シグナリングが適用されるスロットを決定する。
【０２３０】
具体的には、図１９に示される通り、第１の時点は、端末がビーム構成情報に対する肯定応答（ＡＣＫ）メッセージをネットワークデバイスに送信する上りリンクスロット（ｚ）に対応する下りリンクスロット（ｙ）である。端末は、下りリンクスロット（ｙ）でタイマーを開始する。第１の予め設定された持続期間は、タイマーの長さである。第１の予め設定された持続期間はｘミリ秒であり、具体的には、３ミリ秒であってよい。または、ｍ個の下りリンクスロットであり、ｍは正の整数である。例えば、表６に示される通り、１個の下りリンクスロットが１２０ｋＨｚのサブキャリア間隔を有し、１個の下りリンクスロットの長さが０．１２５ミリ秒である場合、タイマーの長さ、つまり、第１の予め設定された持続期間は、２４個の下りリンクスロットであってよい。
【０２３１】
上りリンクスロット（ｚ）を下りリンクスロット（ｙ）に変換する方法は、以下の通りであってよい。
【数２２】
0006951025.tif 000029
【数２３】
0006951025.tif 000030
は切り捨て記号である。
【数２４】
0006951025.tif 000031
および
【数２５】
0006951025.tif 000032
は、それぞれ上りリンク送信および下りリンク送信に用いられるシステムパラメータである。
【０２３２】
代替的に、端末が第１のビームを用いて信号を伝送するスロットは、
【数２６】
0006951025.tif 000033
に設定される。
【数２７】
0006951025.tif 000034
は下りリンクスロット（ｙ）を示し、第１の時点である。
【数２８】
0006951025.tif 000035
は、端末がビーム構成情報に対する肯定応答（ＡＣＫ）メッセージをネットワークデバイスに送信する上りリンクスロット（ｚ）の番号である。
【数２９】
0006951025.tif 000036
は、物理下りリンク共有チャネルを受信するために端末によって用いられる下りリンクキャリアコンポーネント、下りリンク帯域幅部分、または下りリンクフレームのシステムパラメータである。
【数３０】
0006951025.tif 000037
は、端末が肯定応答（ＡＣＫ）メッセージをネットワークデバイスに送信するために用いる上りリンクキャリアコンポーネント、上りリンク帯域幅部分、または上りリンクフレームのシステムパラメータである。
【数３１】
0006951025.tif 000038
は、
【数３２】
0006951025.tif 000039
の結果の切り捨てを示す。
【０２３３】
【数３３】
0006951025.tif 000040
は第１の予め設定された持続期間であり、１は、第１の予め設定された持続期間が期限切れになった後の次のスロットを示す。
【数３４】
0006951025.tif 000041
は、端末がＡＣＫメッセージをネットワークデバイスに送信する下りリンク
【数３５】
0006951025.tif 000042
において端末がタイマーを開始し、第１の予め設定された持続期間
【数３６】
0006951025.tif 000043
の後の次の下りリンクスロットにおいて、アクティブ化シグナリングの適用を開始することを示す。Ｎは１サブフレーム内のスロット数であり、
【数３７】
0006951025.tif 000044
は、端末が物理下りリンク共有チャネルを受信するために用いる下りリンクキャリアコンポーネント、下りリンク帯域幅部分、または下りリンクフレームのシステムパラメータ
【数３８】
0006951025.tif 000045
である。例えば、第１の予め設定された持続期間
【数３９】
0006951025.tif 000046
は３ミリ秒に等しい。代替的に、表４および表６に示される通り、１個の下りリンクスロットが１２０ｋＨｚのサブキャリア間隔を有し、１サブフレーム内のスロット数が８である場合、第１の予め設定された持続期間
【数４０】
0006951025.tif 000047
は２４個の下りリンクスロットである。従って、信号は、第１の予め設定された持続期間が期限切れになった後、すなわち、３ミリ秒または２４個の下りリンクスロットの後の次の下りリンクスロットにおいて、第１のビームを用いて伝送される。本明細書において、第１のビームを用いて信号を伝送することは、アクティブ化シグナリングを適用すること、アクティブ化シグナリングに対応する、ビーム構成情報で示される第１のビームを有効化すること、および、信号が伝送される必要があるときに、第１のビームを用いて信号を伝送することである。
【０２３４】
随意で、下りリンクフレームと比べ、上りリンクフレームは、送信時間の観点から、タイムアドバンス（TA, time advance）を有する。従って、アクティブ化シグナリングが適用される時点が、下りリンクシステムパラメータ構成を用いて決定されるとき、ＴＡの影響が考慮される必要がある。図１９に示される通り、第１の予め設定された持続期間は、ＴＡ＋ｍミリ秒に等しい。
【０２３５】
これに応じて、ネットワークデバイスは、同一の方式で、第１の時点に対応するスロット、およびアクティブ化シグナリングが適用されるスロットを決定する。
【０２３６】
方式３：端末は、上りリンクシステムパラメータおよび下りリンクシステムパラメータを比較し、上りリンクシステムパラメータおよび下りリンクシステムパラメータのうちの一方を、時間統一の基として決定する。例えば、端末が、キャリアコンポーネント、帯域幅部分、または上りリンクおよび下りリンクフレームのシステムパラメータ
【数４１】
0006951025.tif 000048
を比較し、上りリンクサブキャリア間隔および下りリンクサブキャリア間隔のうちの小さい方に対応するシステムパラメータを、時間計測の範囲として、並びに第１の時点および第１の予め設定された持続期間を決定する、換言すると、アクティブ化シグナリングが適用される時点を決定する基として用いる。
【０２３７】
具体的には、端末は、端末がＡＣＫメッセージをネットワークデバイスに送信するスロット（ｙ）においてタイマーを開始する。スロット（ｙ）は、上りサブキャリア間隔および下りサブキャリア間隔のうちの小さい方に対応するリンクキャリアコンポーネント、帯域幅部分または上りリンク／下りリンクフレームのシステムパラメータ
【数４２】
0006951025.tif 000049
に対応するスロット（ｙ）であり、例えば、上りリンクスロット（ｙ）または下りリンクスロット（ｙ）であってよい。
【０２３８】
代替的に、端末が第１のビームを用いて信号を伝送するスロットは、
【数４３】
0006951025.tif 000050
に設定される。
【数４４】
0006951025.tif 000051
は、
【数４５】
0006951025.tif 000052
および
【数４６】
0006951025.tif 000053
のうちの小さい方であり、
【数４７】
0006951025.tif 000054
は、端末が肯定応答（ＡＣＫ）メッセージを送信するときに用いる上りリンクキャリアコンポーネント、上りリンク帯域幅部分または上りリンクフレームのシステムパラメータであり、
【数４８】
0006951025.tif 000055
は、端末が物理下りリンク共有チャネルを受信するために用いる、下りリンクキャリアコンポーネント、下りリンク帯域幅部分または下りリンクフレームのシステムパラメータである。表６に示される通り、上りリンクキャリアコンポーネント、上りリンク帯域幅部分または上りリンクフレームに対応するサブキャリア間隔が１５ｋＨｚであると仮定すると、対応する
【数４９】
0006951025.tif 000056
は０である。下りリンクキャリアコンポーネント、下りリンク帯域幅部分または下りリンクフレームに対応するサブキャリア間隔が１２０ｋＨｚであると仮定すると、対応する
【数５０】
0006951025.tif 000057
は３である。従って、端末が第１のビームを用いて信号を伝送する時点が
【数５１】
0006951025.tif 000058
を用いて決定される場合、
【数５２】
0006951025.tif 000059
は、
【数５３】
0006951025.tif 000060
および
【数５４】
0006951025.tif 000061
のうちの小さい方の値
【数５５】
0006951025.tif 000062
であり、
【数５６】
0006951025.tif 000063
は、
【数５７】
0006951025.tif 000064
に対応する上りリンクスロット（ｙ）である。
【０２３９】
これに応じて、ネットワークデバイスは、同一の方式で、第１の時点に対応するスロット、およびアクティブ化シグナリングが適用されるスロットを決定する。
【０２４０】
上述の３つの方式において、上りリンクＣＣ、上りリンクＢＷＰまたは上りリンクフレームのシステムパラメータ
【数５８】
0006951025.tif 000065
は、端末がＡＣＫメッセージを送信する時点において適用される上りリンクシステムパラメータ
【数５９】
0006951025.tif 000066
であってよく、または端末がＰＵＳＣＨを送信する時点において適用される上りリンクシステムパラメータ
【数６０】
0006951025.tif 000067
であってよい。ＰＵＳＣＨは、端末によって、ＡＣＫメッセージをネットワークデバイスに送信するために占有されるチャネルである。代替的に、上りリンクシステムパラメータ
【数６１】
0006951025.tif 000068
は、端末がＰＵＣＣＨを送信する時点において適用される上りリンクシステムパラメータ
【数６２】
0006951025.tif 000069
であってよい。ＰＵＣＣＨは、端末によって、ＡＣＫメッセージをネットワークデバイスに送信するために占有されるチャネルである。代替的に、
【数６３】
0006951025.tif 000070
は、ＰＵＳＣＨをスケジューリングするためのＰＵＣＣＨに対応する上りリンクシステムパラメータ
【数６４】
0006951025.tif 000071
であってよい。
【０２４１】
下りリンクＣＣ、下りリンクＢＷＰまたは下りリンクフレームのシステムパラメータ
【数６５】
0006951025.tif 000072
は、端末がＰＤＳＣＨを受信する時点において適用される下りリンクシステムパラメータ
【数６６】
0006951025.tif 000073
であってよく、または、端末がＡＣＫメッセージを送信する時点において適用される下りリンクシステムパラメータ
【数６７】
0006951025.tif 000074
であってよい。ＰＤＳＣＨは、ネットワークデバイスによって端末に送信されるアクティブ化シグナリングが占有するチャネルである。代替的に、下りリンクシステムパラメータ
【数６８】
0006951025.tif 000075
は、端末がＰＤＣＣＨを受信する時点において適用される下りシステムパラメータ
【数６９】
0006951025.tif 000076
であってよい。ＰＤＣＣＨは、端末によってＰＤＳＣＨをスケジューリングするためのＰＤＣＣＨであり、下りリンクシステムパラメータ
【数７０】
0006951025.tif 000077
は、ＰＤＳＣＨをスケジューリングするための下りシステムパラメータ
【数７１】
0006951025.tif 000078
である。
【０２４２】
実施形態１から実施形態３においては、第１の時点は、端末がＡＣＫメッセージをネットワークデバイスに送信するスロットである。端末が、複数の回数ＡＣＫを送信する場合、第１の時点は、端末がビーム構成情報に対する肯定応答（ＡＣＫ）メッセージをネットワークデバイスに、最初にまたは最後に送信する上りリンクスロットである、あるいは、ネットワークデバイスが、最初にまたは最後にビーム構成情報に対する、且つ端末によって送信される肯定応答（ＡＣＫ）メッセージを受信する上りリンクスロット（ｚ）に対応する下りリンクスロットである。
【０２４３】
図２０に示される通り、端末は、合計で４回ＡＣＫメッセージをネットワークデバイスに送信する。１つの方式において、端末は、端末がＡＣＫメッセージをネットワークデバイスに最初に送信するスロットを第１の時点として用い、タイマーを開始して計時を開始し、および第１の予め設定された持続期間が期限切れになった後、例えば、３ミリ秒後に、アクティブ化シグナリングの適用を開始する。他の方式において、端末は、端末がＡＣＫメッセージをネットワークデバイスに最後に送信する時点を第１の時点として用い、すなわち、端末がＡＣＫメッセージをネットワークデバイスに４回目に送信する時点を第１の時点として用い、タイマーを開始して計時を開始し、および第１の予め設定された持続期間が期限切れになった後、例えば、３ミリ秒後に、アクティブ化シグナリングの適用を開始する。
【０２４４】
随意で、第１の時点は、代替的に、端末が、ネットワークデバイスがＡＣＫメッセージを受信したことを確認するための、ネットワークデバイスによって端末に返される指示情報を受信したとき、端末がタイマーを開始する時点であってよい。例えば、図１２から図１３に示される実施形態４においては、ｙ番目のスロットは具体的に（ｎ＋ｋ１＋ｑ）番目のスロットである。
【０２４５】
これに応じて、ネットワークデバイスは、同一の方式で、第１の時点に対応するスロット、およびアクティブ化シグナリングが適用されるスロットを決定する。
【０２４６】
本願のすべての実施形態において、端末によってネットワークデバイスに送信される、またはフィードバックされるＡＣＫメッセージは、ハイブリッド自動再送要求肯定応答（hybrid automatic repeat request-acknowledgement, HARQ-ACK）であってよいことに留意されたい。
【０２４７】
従って、ネットワークデバイスおよび端末は、同一の原理に基づき、第１の時点に対応するスロット、およびアクティブ化シグナリングが適用されるスロットを決定することができる。本願のこの実施形態における、ネットワークデバイスによってビーム構成情報を端末に送信する段階から、端末によってビーム構成情報を適用する段階までの完全なプロシージャが、図２１に示されており、以下の通りである。
【０２４８】
段階６０１：ネットワークデバイスは、ＲＲＣ構成情報を端末に送信する。
【０２４９】
本願のこの実施形態において、ＲＲＣ構成とは、様々な物理チャネルまたは信号に関するビーム、ＱＣＬ関係、または空間関係（spatial relations）を主に指し、以下を含む。
制御リソースセット（control resource set, CORESET）構成：各ＣＯＲＥＳＥＴに対し、伝送構成インデックス状態（TCI State）を追加および解放することによって、複数の可能なビームが端末のために構成される；
物理上りリンク制御チャネル（physical uplink control channel, PUCCH）構成：すべてのＰＵＣＣＨリソースに対し、ＰＵＣＣＨ空間関係情報（PUCCH-SpatialRelationInfo）を追加および解放することによって、複数の可能なビームが端末のために構成される；
チャネル状態情報‐参照信号（channel state information-reference signal, CSI-RS）構成：すべてのＣＳＩ‐ＲＳリソースに対し、伝送構成インデックス状態（ＴＣＩ状態）を追加および解放することによって、複数の可能なビームが端末のために構成される；
物理下りリンク共有チャネル（physical downlink shared channel, PDSCH）ＴＣＩ構成：ＰＤＳＣＨに対し、伝送構成インデックス状態（TCI State）を追加および解放することにｙとて、複数の可能なビームが端末のために構成される。
【０２５０】
通常、ＲＲＣ構成はＰＤＳＣＨを用いることで送信され、１または複数のスロット（slots）で端末に送信されるべく、構成情報のサイズに基づき、１または複数のＴＢに分割されてよい。
【０２５１】
段階６０２：ネットワークデバイスは、媒体アクセス制御要素（Media Access Control control element, MAC-CE）アクティブ化シグナリングを端末に送信する。
【０２５２】
本願のこの実施形態におけるＭＡＣ‐ＣＥアクティブ化シグナリングは、ネットワークデバイスが端末のために、様々な物理チャネル／信号について、段階６０１で構成された複数の可能なビーム、ＱＣＬ関係または空間関係から、特定のビーム、ＱＣＬ関係、または空間関係を選択すべく用いられるシグナリングである。
【０２５３】
例えば、図２２に示される通り、ＣＯＲＥＳＥＴのＴＣＩアクティブ化シグナリングについて、ＭＡＣ‐ＣＥアクティブ化シグナリングを用いて、特定のＣＯＲＥＳＥＴのための特定のＴＣＩが指定される。随意で、ＣＯＲＥＳＥＴ  ＩＤ＝０の場合に、ＴＣＩ状態ＩＤの第１のビットが第１の値、例えば、１であれば、ＴＣＩ状態ＩＤの最後の６個のビットがＴＣＩ状態を表わす。または、ＴＣＩ状態ＩＤの最初のビットが第２の値、例えば、０であれば、ＴＣＩ状態ＩＤの最後の６個のビットがＳＳＢインデックスを表わす。
【０２５４】
例えば、図２３に示される通り、ＰＵＣＣＨの空間関係（spatial relation）アクティブ化シグナリングについて、ＭＡＣ‐ＣＥアクティブ化シグナリングを用いて、特定のＰＵＣＣＨのための特定の空間関係が指定される。Ｓｉが１であることは、PUCCH‐SpatialRelationInfoIDがiである空間関係がアクティブ化されることを示し、および、Ｓｉが０であることは、PUCCH-SpatialRelationInfoIDがiである空間関係がアクティブ化されないことを示す。
【０２５５】
例えば、図２４に示される通り、ＣＳＩ−ＲＳのＴＣＩアクティブ化シグナリングは、特に、半永久的（semi-persistent, SP）CSI-RSである。当該ＣＳＩ−ＲＳは、１つのセット（set）でアクティブ化される。従って、特定のＣＳＩ−ＲＳリソースセットに対し、特定のＴＣＩが指定される必要がある。セット内に複数のＣＳＩ−ＲＳリソースが存在する場合、各ＣＳＩ−ＲＳリソースに対し、特定のＴＣＩが指定される必要がある。
【０２５６】
例えば、図２５に示される通り、ＰＤＳＣＨ  ＴＣＩの選択シグナリングについて、ＭＡＣ‐ＣＥアクティブ化シグナリングを用いて、最大でも８個のＴＣＩ状態がＰＤＳＣＨのために選択される。Ｔｉが１であることは、TCI-StateIDがiであるＴＣＩ状態がアクティブ化されることを示す。Ｔｉが０であることは、TCI-StateIDがiであるＴＣＩ状態がアクティブ化されないことを示す。
【０２５７】
例えば、図２６に示される通り、ＳＲＳの空間関係（spatial relation）アクティブ化シグナリングは、特に半永久的（semi-persistent, SP）RSである。上述の内容と異なる点は、ＲＲＣを用いて複数の可能な空間関係を構成する段階なしに、ＭＡＣ‐ＣＥアクティブ化シグナリングを用いて、ＳＰ  ＳＲＳのために直接的に示されることである。アクティブ化は、１つのセット内で実行される。従って、特定のＳＲＳリソースセット（SRS resource set）のための特定の空間関係が指定される必要がある。セット内に複数のＳＲＳリソースが存在する場合、各ＳＲＳリソース（SRS resource）に対し、特定の空間関係が示される必要がある。合計で８ビットのFi+Resource IDiが、ｉ番目のＳＲＳリソースの空間関係指標として用いられる。Fi = 1の場合、Resource IDiはＣＳＩ−ＲＳリソースＩＤである。Fi = ０の場合、Resource IDiの第１ビットは１であり、残り６ビットはＳＳＢインデックスである。Fi = 0の場合、Resource IDiの第１ビットは０であり、残り６ビットはＳＲＳリソースＩＤである。図２６において、リソースサービングセルＩＤフィールドおよびリソースＢＷＰ  ＩＤフィールドを含むバイトが存在するかどうかを示すためにＣが用いられる。ＳＵＬは、シグナリングが補足上りリンク（supplementary Uplink）キャリアに適用されるかどうかを示すために用いられる。
【０２５８】
通常、ＭＡＣ‐ＣＥアクティブ化シグナリングは、ＰＤＳＣＨを用いて送信され、１または複数のスロット（slot）で送信されるべく、シグナリングのサイズに基づき、１または複数のＴＢに分割されてよい。
【０２５９】
段階６０３：端末はＰＤＳＣＨを受信および復号してＴＢを取得し、並びに、ＲＲＣ構成シグナリングおよびＭＡＣ‐ＣＥアクティブ化シグナリングが正しく受信されたかどうかを決定すべく、ＣＲＣチェックを実行する。
【０２６０】
段階６０４：段階６０３におけるＣＲＣチェックが成功した場合、端末は、ＰＤＳＣＨのためのＡＣＫをフィードバックする準備をする。これに応じて、ネットワークデバイスは、端末によってフィードバックされたＡＣＫメッセージを受信する。
【０２６１】
この段階において、端末およびネットワークデバイスは、実施形態１から実施形態４までの任意の方法により、第１の時点および第１の予め設定された持続期間を決定し、第１の時点においてタイマーを開始し、従って、ＭＡＣ‐ＣＥアクティブ化シグナリングが適用される時点を決定する。
【０２６２】
段階６０５：端末は、ビットシーケンスから、ＭＡＣ‐ＣＥアクティブ化シグナリングの特定の内容を読み取る。
【０２６３】
段階６０６：端末は、ＭＡＣ‐ＣＥアクティブ化シグナリングを適用する。具体的には、段階６０４で使用開始されたタイマーが期限切れになったとき、端末は、ＭＡＣ‐ＣＥアクティブ化シグナリングの内容の適用を開始する。以下が含まれる。
媒体アクセス制御要素（ＭＡＣ‐ＣＥ）アクティブ化シグナリングを用いて、制御リソースセットＣＯＲＥＳＥＴに指定される伝送構成インデックス（ＴＣＩ）の使用を開始して、制御リソースセットＣＯＲＥＳＥＴの疑似コロケーション（ＱＣＬ）の仮定を決定すること、または
ＭＡＣ‐ＣＥアクティブ化シグナリングを用いて、物理上りリンク制御チャネルＰＵＣＣＨに指定される空間関係の使用を開始して、ＰＵＣＣＨを送信すること、または
ＭＡＣ‐ＣＥアクティブ化シグナリングの指標に従い、半永久的チャネル状態情報参照信号リソースセットの受信を開始すること、および、ＴＣＩを用いて、半永久的チャネル状態情報参照信号リソースセット内の半休的チャネル状態情報参照信号リソースの受信を開始すること、または
ＭＡＣ‐ＣＥアクティブ化シグナリングの指標に従い、下りリンク制御情報ＤＣＩから、マッピングを通して、物理下りリンク共有チャネルＰＤＳＣＨのＴＣＩ指標およびＲＲＣ構成のＴＣＩ状態の取得を開始すること、または
ＭＡＣ‐ＣＥアクティブ化シグナリングの指標に従い、半永久的チャネル状態情報参照信号リソースセットの送信を開始すること、および、送信ビームを用いることで、半永久的チャネル状態情報参照信号リソースセット内のチャネルサウンディング参照信号リソースの送信を開始すること。
【０２６４】
これに応じて、ネットワークデバイスもまた、ネットワークデバイスによって示されたビームを用いて、ＣＯＲＥＳＥＴ／ＰＤＳＣＨ／ＳＰ  ＣＳＩ‐ＲＳの送信およびＰＵＣＣＨ／ＳＲＳの受信を開始する。
【０２６５】
本願の実施形態に係る実装例により、ビーム構成情報の検証時間の観点における、送信端と受信端との間で不整合が生じ得る問題を回避できる。ネットワークデバイスは、端末のＡＣＫメッセージの受信時に、タイマーを開始し、タイマーのタイミング時間が予め設定された持続期間に到達したとき、第１のビームに対応する第２のビームを用いて信号を伝送する。タイマ−の開始および予め設定された持続期間は両方とも、上りリンクスロットまたは下りリンクスロットに基づき、および、端末がＡＣＫメッセージを、最初にまたは最後に送信するときに、タイマーは両方とも開始される。従って、端末がＡＣＫメッセージを送信し、ネットワークデバイスがＡＣＫメッセージを受信するとき、ネットワークデバイスと端末との間の挙動の整合性は容易化され、これにより、信号伝送効率が向上する。
【０２６６】
本願で開示される内容を参照して説明された方法またはアルゴリズムの段階は、ハードウェアによって実装されてよく、または処理モジュールによりソフトウェア命令を実行することで実装されてもよい。ソフトウェア命令は、対応するソフトウェアモジュールを含んでよい。ソフトウェアモジュールは、ランダムアクセスメモリ（random access memory, RAM）、フラッシュメモリ、リードオンリメモリ（read-only memory, ROM）、消去可能プログラマブルリードオンリメモリ（erasable programmable ROM, EPROM）、電気的消去可能プログラマブルリードオンリメモリ（electrically EPROM, EEPROM）、レジスタ、ハードディスク、リムーバブルハードディスク、コンパクトディスクリードオンリメモリ（ＣＤ‐ＲＯＭ）、または当該分野において周知の任意の他の形態における記憶媒体に格納されてよい。一例として用いられる記憶媒体は、プロセッサが記憶媒体から情報を読み取り、記憶媒体に情報を書き込めるように、プロセッサに結合される。もちろん、記憶媒体は、プロセッサのコンポーネントであってよい。プロセッサおよび記憶媒体は、ＡＳＩＣに配置されてよい。
【０２６７】
当業者は、上述の例のうちの１または複数において、本願で説明した機能が、ハードウェア、ソフトウェア、ファームウェアまたはこれらの任意の組み合わせで実装されてよいことを認識されたい。ソフトウェアにより実装される場合、これらの機能が、コンピュータ可読媒体に格納されてよい、またはコンピュータ可読媒体内の１または複数の命令若しくはコードとして送信されてよい。コンピュータ可読媒体は、コンピュータ記憶媒体および通信媒体を含む。通信媒体は、コンピュータプログラムが１つの場所から別の場所へ送信されることを可能にする任意の媒体を含む。記憶媒体は、汎用コンピュータまたは専用コンピュータにアクセス可能な任意の利用可能な媒体であってよい。
【０２６８】
本願の目的、技術的解決手段および有利な効果については、上述の特定の実装にさらに詳細に説明されている。上述の説明は、本願の特定の実装に過ぎず、本願の保護範囲を限定する意図はないことを理解されたい。
（項目１）
端末により、ネットワークデバイスによって送信されたビーム構成情報を受信する段階であって、前記ビーム構成情報は、前記端末に対し、第１のビームを用いて信号を伝送するよう命令するために用いられる、段階と、
前記端末により、第１の時点から開始する第１の予め設定された持続期間が期限切れになるとき、少なくとも前記第１のビームを用いて前記信号を伝送する段階であって、前記第１の時点は、前記端末が、前記ビーム構成情報に対する肯定応答ＡＣＫメッセージを前記ネットワークデバイスに送信する時点である、段階と、を備える、ビーム構成方法。
（項目２）
前記端末により、第１の時点から開始する第１の予め設定された持続期間が期限切れになるとき、少なくとも前記第１のビームを用いて前記信号を伝送する前記段階は、
前記端末により、前記第１の時点においてタイマーを開始し、および前記タイマーのタイミング時間が前記第１の予め設定された持続期間に到達したとき、少なくとも前記第１のビームを用いて前記信号を伝送する段階を含む、項目１に記載のビーム構成方法。
（項目３）
前記ビーム構成方法は、さらに、
前記端末により、前記タイマーが前記第１の予め設定された持続期間に到達していないときに、前記ビーム構成情報を再受信した場合、前記タイマーを停止し、および第２の時点で前記タイマーを開始する段階を備え、前記第２の時点は、前記端末が前記再受信したビーム構成情報に対するＡＣＫメッセージを前記ネットワークデバイスに送信する時点である、項目２に記載のビーム構成方法。
（項目４）
前記端末により、第１の時点から開始する第１の予め設定された持続期間が期限切れになるとき、少なくとも前記第１のビームを用いて前記信号を伝送する前記段階は、
前記端末により、前記第１の時点から開始する前記第１の予め設定された持続期間が期限切れになるとき、前記第１のビームに加え、前回用いられたビームまたは既定で用いられるビームを用いて、前記信号を伝送する段階を含む、項目１から３のいずれか一項に記載のビーム構成方法。
（項目５）
前記ビーム構成方法は、さらに、
前記端末により、前記第１のビームで前記信号を受信する場合に、前記第１のビームを用いて信号を受信する段階、または
前記端末により、前記タイマーの前記タイミング時間が前記第１の予め設定された持続期間に到達した後、前記第１のビーム以外のビームで前記信号を受信する場合に、前記ビーム構成情報に対する前記ＡＣＫメッセージを前記ネットワークデバイスに送信し、前記ＡＣＫメッセージの送信時に前記タイマーを開始し、および前記タイマーの前記タイミング時間が前記第１の予め設定された持続期間に到達したとき、前記第１のビームに加え、前回用いられた前記ビームまたは既定で用いられる前記ビームを用いて信号を伝送する段階、または
前記端末により、前記第１のビーム以外のビームで前記信号を受信する場合に、エラー指標を前記ネットワークデバイスに送信する段階であって、前記エラー指標は、前記ネットワークデバイスに対し、前記ビーム構成情報を再送信するよう命令するために用いられる、段階を備える、項目４に記載のビーム構成方法。
（項目６）
前記ビーム構成方法は、さらに、
前記端末により、第３の時点から開始する第２の予め設定された持続期間が期限切れになるとき、前記第１のビームを用いて信号を送信する段階であって、前記第３の時点は、前記タイマーの前記タイミング時間が前記予め設定された持続期間に到達した時点である、段階をさらに備える、項目４に記載のビーム構成方法。
（項目７）
前記信号は、上りリンクデータチャネル情報、上りリンク制御チャネル情報、上りリンクサウンディング信号、下りリンクデータチャネル情報、下りリンク制御チャネル情報、または下りリンクサウンディング信号を含む、項目１から６のいずれか一項に記載のビーム構成方法。
（項目８）
前記ビーム構成情報は、具体的に、前記端末のために、前記信号を伝送するために用いられるビームを構成するために用いられる、項目１から７のいずれか一項に記載のビーム構成方法。
（項目９）
前記ビーム構成情報は、具体的に、前記端末のために、前記信号を伝送するために用いられるビームを構成するために用いられることは、具体的に、伝送構成インデックスＴＣＩが、ＴＣＩビットを用いて前記端末に示されることであり、前記ＴＣＩビットはＴＣＩ状態に対応し、前記ＴＣＩ状態は、１または複数の参照信号と、データチャネル参照信号との間の疑似コロケーションＱＣＬ関係に対応する、項目８に記載のビーム構成方法。
（項目１０）
前記ＱＣＬ関係は、周波数リソース情報を含み、前記周波数リソース情報は、キャリア番号または帯域幅部分の番号を含む、項目９に記載のビーム構成方法。
（項目１１）
前記ビーム構成方法は、さらに、
前記ビーム構成情報が前記ＴＣＩを示さない場合、前記端末により、初期アクセスに用いられるビームを用いて前記信号を伝送する段階を備える、項目９または１０に記載のビーム構成方法。
（項目１２）
前記ビーム構成方法は、さらに、
前記端末が、明示的なビーム指標を受信しない、または暗黙的なビーム指標を受信する場合、前記端末により、前記端末によって既定で用いられる前記ビームを用いて前記信号を伝送する段階を備える、項目１から７のいずれか一項に記載のビーム構成方法。
（項目１３）
前記端末によって既定で用いられる前記ビームは、既定の送信ビームまたは既定の受信ビームを含む、項目１２に記載のビーム構成方法。
（項目１４）
前記既定の受信ビームは、前記端末によって初期アクセスに用いられる同期信号ブロックのビームである、項目１３に記載のビーム構成方法。
（項目１５）
前記第１の時点は、前記端末が前記ビーム構成情報に対する前記肯定応答ＡＣＫメッセージを前記ネットワークデバイスに送信する上りリンクスロット（ｙ）である、または、前記端末が前記ビーム構成情報に対する前記肯定応答ＡＣＫメッセージを前記ネットワークデバイスに送信する上りリンクスロット（ｚ）に対応する下りリンクスロット（ｙ）である、項目１から１４のいずれか一項に記載のビーム構成方法。
（項目１６）
前記端末は、前記上りリンクスロット（ｙ）において前記タイマーを開始し、および前記第１の予め設定された持続期間は前記タイマーの長さであり、ｘミリ秒またはｍ個の上りリンクスロットであり、ｍは正の整数である、または、
前記端末は、前記下りリンクスロット（ｙ）において前記タイマーを開始し、および前記第１の予め設定された持続期間は前記タイマーの長さであり、ｘミリ秒またはｍ個の下りリンクスロットであり、ｍは正の整数である、項目１５に記載のビーム構成方法。
（項目１７）
前記信号が前記第１のビームを用いて伝送される時点は、
【数７２】
0006951025.tif 000079
であり、
【数７３】
0006951025.tif 000080
は上りリンクスロット（ｙ）を示し、前記第１の時点であり、
【数７４】
0006951025.tif 000081
は前記第１の予め設定された持続期間であり、Ｎは１サブフレーム内のスロット数であり、
【数７５】
0006951025.tif 000082
は、前記端末が前記肯定応答ＡＣＫメッセージを前記ネットワークデバイスに送信するために用いる上りリンクキャリアコンポーネント、上りリンク帯域幅部分または上りリンクフレームのシステムパラメータ
【数７６】
0006951025.tif 000083
である、項目１から１４のいずれか一項に記載のビーム構成方法。
（項目１８）
前記端末が前記第１のビームを用いて前記信号を伝送する時点は、
【数７７】
0006951025.tif 000084
であり、
【数７８】
0006951025.tif 000085
は下りリンクスロット（ｙ）を示し、前記第１の時点であり、
【数７９】
0006951025.tif 000086
は、前記端末が前記ビーム構成情報に対する前記肯定応答ＡＣＫメッセージを前記ネットワークデバイスに送信する上りリンクスロット（ｚ）の番号であり、
【数８０】
0006951025.tif 000087
は、前記端末が物理下りリンク共有チャネルを受信するために用いる下りリンクキャリアコンポーネント、下りリンク帯域幅部分または下りリンクフレームのシステムパラメータであり、
【数８１】
0006951025.tif 000088
は、前記端末が前記肯定応答ＡＣＫメッセージを前記ネットワークデバイスに送信するために用いる上りリンクキャリアコンポーネント、上りリンク帯域幅部分または上りリンクフレームのシステムパラメータであり、
【数８２】
0006951025.tif 000089
は、
【数８３】
0006951025.tif 000090
の結果の切り捨てを示し、
【数８４】
0006951025.tif 000091
は前記第１の予め設定された持続期間であり、Ｎは１サブフレーム内のスロット数であり、
【数８５】
0006951025.tif 000092
は、前記物理下りリンク共有チャネルを受信するために用いられる前記下りリンクキャリアコンポーネント、前記下りリンク帯域幅部分または前記下りリンクフレームの前記システムパラメータ
【数８６】
0006951025.tif 000093
である、項目１から１４のいずれか一項に記載のビーム構成方法。
（項目１９）
前記第１の時点は、前記端末が前記ビーム構成情報に対する前記肯定応答ＡＣＫメッセージを前記ネットワークデバイスに送信するスロット（ｙ）であり、前記スロット（ｙ）は、上りリンクサブキャリア間隔および下りリンクサブキャリア間隔のうち小さい方に対応するシステムパラメータ
【数８７】
0006951025.tif 000094
に対応するスロット（ｙ）である、項目１から１４のいずれか一項に記載のビーム構成方法。
（項目２０）
前記端末が前記第１のビームを用いて前記信号を伝送する時点は、
【数８８】
0006951025.tif 000095
であり、
【数８９】
0006951025.tif 000096
は、
【数９０】
0006951025.tif 000097
および
【数９１】
0006951025.tif 000098
のうちの小さい方であり、
【数９２】
0006951025.tif 000099
は、前記端末が前記肯定応答ＡＣＫを送信するために用いる上りリンクキャリアコンポーネント、上りリンク帯域幅部分または上りリンクフレームのシステムパラメータであり、
【数９３】
0006951025.tif 000100
は、前記端末が物理下りリンク共有チャネルを受信するために用いる下りリンクキャリアコンポーネント、下りリンク帯域幅部分または下りリンクフレームのシステムパラメータである、項目１から１４のいずれか一項に記載のビーム構成方法。
（項目２１）
前記第１の時点は、前記端末が前記ビーム構成情報に対する前記肯定応答ＡＣＫメッセージを前記ネットワークデバイスに、最初にまたは最後に送信する上りリンクスロットである、または、前記端末が前記ビーム構成情報に対する前記肯定応答ＡＣＫメッセージを前記ネットワークデバイスに、最初にまたは最後に送信する上りリンクスロットに対応する下りリンクスロットである、項目１から２０のいずれか一項に記載のビーム構成方法。
（項目２２）
ネットワークデバイスにより、ビーム構成情報を端末に送信する段階であって、前記ビーム構成情報は、前記端末に対し、第１のビームを用いて信号を伝送するよう命令するために用いられる、段階と、
前記ネットワークデバイスにより、第１の時点から開始する予め設定された持続期間が期限切れになるとき、前記第１のビームに対応する第２のビームを用いて前記信号を伝送する段階であって、前記第１の時点は、前記ネットワークデバイスが前記ビーム構成情報に対する、前記端末によって送信される肯定応答ＡＣＫメッセージを受信する時点である、段階と、を備える、ビーム構成方法。
（項目２３）
前記ネットワークデバイスにより、第１の時点から開始する予め設定された持続期間が期限切れになるとき、前記第１のビームに対応する第２のビームを用いて前記信号を伝送する前記段階は、
前記ネットワークデバイスにより、前記第１の時点においてタイマーを開始し、および前記タイマーのタイミング時間が前記予め設定された持続期間に到達したとき、前記第１のビームに対応する前記第２のビームを用いて前記信号を伝送する段階を含む、項目２２に記載のビーム構成方法。
（項目２４）
前記ビーム構成方法は、さらに、
前記ネットワークデバイスにより、前記端末が送信するエラー指標を受信する段階であって、前記エラー指標は、前記ネットワークデバイスに対し、前記ビーム構成情報を再送信するよう命令するために用いられる、段階と、
前記ネットワークデバイスにより、前記エラー指標に従い、前記ビーム構成情報を前記端末に再送信する段階と、を備える、項目２２または２３に記載のビーム構成方法。
（項目２５）
前記信号は、上りリンクデータチャネル情報、上りリンク制御チャネル情報、上りリンクサウンディング信号、下りリンクデータチャネル情報、下りリンク制御チャネル情報、または下りリンクサウンディング信号を含む、項目２２から２４のいずれか一項に記載のビーム構成方法。
（項目２６）
前記ビーム構成情報は、具体的に、前記端末のために、前記信号を伝送するために用いられるビームを構成するために用いられる、項目２２から２５のいずれか一項に記載のビーム構成方法。
（項目２７）
前記ビーム構成情報は、具体的に、前記端末のために、前記信号を伝送するために用いられるビームを構成するために用いられることは、具体的に、伝送構成インデックスＴＣＩがＴＣＩビットを用いて前記端末に示されることであり、前記ＴＣＩビットは、ＴＣＩ状態に対応し、前記ＴＣＩ状態は、１または複数の参照信号と、データチャネル参照信号との間の疑似コロケーションＱＣＬ関係に対応する、項目２６に記載のビーム構成方法。
（項目２８）
前記ＱＣＬ関係は、周波数リソース情報を含み、前記周波数リソース情報は、キャリア番号または帯域幅部分の番号を含む、項目２７に記載のビーム構成方法。
（項目２９）
前記第１の時点は、前記ネットワークデバイスが前記ビーム構成情報に対する、前記端末によって送信される前記肯定応答ＡＣＫメッセージを受信する下りリンクスロット（ｙ）である、または、前記端末が前記ビーム構成情報に対する前記肯定応答ＡＣＫメッセージを送信する上りリンクスロット（ｙ）である、項目２２から２８のいずれか一項に記載のビーム構成方法。
（項目３０）
前記ネットワークデバイスは、前記上りリンクスロット（ｙ）において前記タイマーを開始し、前記第１の予め設定された持続期間は前記タイマーの長さであり、ｘミリ秒またはｍ個の上りリンクスロットであり、ｍは正の整数である、または、
前記ネットワークデバイスは、前記下りリンクスロット（ｙ）において前記タイマーを開始し、前記第１の予め設定された持続期間は前記タイマーの長さであり、ｘミリ秒またはｍ個の下りリンクスロットであり、ｍは正の整数である、項目２９に記載のビーム構成方法。
（項目３１）
前記ネットワークデバイスが前記第１のビームに対応する前記第２のビームを用いて前記信号を伝送する時点は、
【数９４】
0006951025.tif 000101
であり、
【数９５】
0006951025.tif 000102
は上りリンクスロット（ｙ）を示し、前記第１の時点であり、
【数９６】
0006951025.tif 000103
は、前記第１の予め設定された持続期間であり、Ｎは１サブフレーム内のスロット数であり、
【数９７】
0006951025.tif 000104
は、前記端末が前記肯定応答ＡＣＫメッセージを送信するときに用いる上りリンクキャリアコンポーネント、上りリンク帯域幅部分または上りリンクフレームのシステムパラメータ
【数９８】
0006951025.tif 000105
である、項目２２から２８のいずれか一項に記載のビーム構成方法。
（項目３２）
前記ネットワークデバイスが前記第１のビームに対応する前記第２のビームを用いて前記信号を伝送する時点は、
【数９９】
0006951025.tif 000106
であり、
【数１００】
0006951025.tif 000107
は、下りリンクスロット（ｙ）を示し、前記第１の時点であり、
【数１０１】
0006951025.tif 000108
は、前記端末が前記ビーム構成情報に対する前記肯定応答ＡＣＫメッセージを前記ネットワークデバイスに送信する上りリンクスロット（ｚ）の番号であり、
【数１０２】
0006951025.tif 000109
は、前記端末が物理下りリンク共有チャネルを受信するために用いる下りリンクキャリアコンポーネント、下りリンク帯域幅部分または下りリンクフレームのシステムパラメータであり、
【数１０３】
0006951025.tif 000110
は、前記端末が前記肯定応答ＡＣＫメッセージを前記ネットワークデバイスに送信するために用いる上りリンクキャリアコンポーネント、上りリンク帯域幅部分または上りリンクフレームのシステムパラメータであり、
【数１０４】
0006951025.tif 000111
は、
【数１０５】
0006951025.tif 000112
の結果の切り捨てを示し、
【数１０６】
0006951025.tif 000113
は、前記第１の予め設定された持続期間であり、Ｎは１サブフレーム内のスロット数であり、
【数１０７】
0006951025.tif 000114
は、前記物理下りリンク共有チャネルを受信するために用いられる前記下りリンクキャリアコンポーネント、前記下りリンク帯域幅部分または前記下りリンクフレームの前記システムパラメータ
【数１０８】
0006951025.tif 000115
である、項目２２から２８のいずれか一項に記載のビーム構成方法。
（項目３３）
前記第１の時点は、前記ネットワークデバイスが前記ビーム構成情報に対する、前記端末によって前記ネットワークデバイスに送信される前記肯定応答ＡＣＫメッセージを受信するスロット（ｙ）であり、前記スロット（ｙ）は、上りリンクサブキャリア間隔および下りリンクサブキャリア間隔のうち小さい方に対応するシステムパラメータ
【数１０９】
0006951025.tif 000116
に対応するスロットｙである、項目２２から２８のいずれか一項に記載のビーム構成方法。
（項目３４）
前記ネットワークデバイスが前記第１のビームを用いて前記信号を伝送する時点は、
【数１１０】
0006951025.tif 000117
であり、
【数１１１】
0006951025.tif 000118
は、
【数１１２】
0006951025.tif 000119
および
【数１１３】
0006951025.tif 000120
のうちの小さい方であり、
【数１１４】
0006951025.tif 000121
は、前記肯定応答ＡＣＫを送信するために用いられる上りリンクキャリアコンポーネントまたは上りリンク帯域幅部分のシステムパラメータであり、
【数１１５】
0006951025.tif 000122
は、物理下りリンク共有チャネルを受信するために用いられる下りリンクキャリアコンポーネント、下りリンク帯域幅部分または下りリンクフレームのシステムパラメータである、項目２２から２８のいずれか一項に記載のビーム構成方法。
（項目３５）
前記第１の時点は、前記ネットワークデバイスが、前記ビーム構成情報に対する、前記端末によって送信される前記肯定応答ＡＣＫメッセージを、最初にまたは最後に受信する下りリンクスロットである、または、前記ネットワークデバイスが、前記ビーム構成情報に対する、前記端末によって送信される前記肯定応答ＡＣＫメッセージを、最初にまたは最後に受信する上りリンクスロット（ｚ）に対応する下りリンクスロットである、項目２２から２８のいずれか一項に記載のビーム構成方法。
（項目３６）
ネットワークデバイスによって送信されたビーム構成情報を受信するように構成された送受信機ユニットであって、前記ビーム構成情報は、端末に対し、第１のビームを用いて信号を伝送するよう命令するために用いられる、送受信機ユニットと、
第１の時点から開始する第１の予め設定された持続期間が期限切れになるとき、前記送受信機ユニットを、少なくとも前記第１のビームを用いて前記信号を伝送するよう構成するように構成された処理ユニットであって、前記第１の時点は、前記端末が前記ビーム構成情報に対する肯定応答ＡＣＫメッセージを前記ネットワークデバイスに送信する時点である、処理ユニットと、を備える、端末。
（項目３７）
前記処理ユニットは、具体的に、前記第１の時点においてタイマーを開始する、および、前記タイマーのタイミング時間が前記第１の予め設定された持続期間に到達したとき、前記送受信機ユニットを、前記少なくとも第１のビームを用いて前記信号を伝送するよう構成する、ように構成されている、項目３６に記載の端末。
（項目３８）
前記処理ユニットは、さらに、
前記タイマーが前記第１の予め設定された持続期間に到達しない場合に、前記送受信機ユニットが、前記ビーム構成情報を再受信したとき、前記タイマーを停止する、および、第２の時点で前記タイマーを開始する、ように構成されており、前記第２の時点は、前記端末が前記再受信したビーム構成情報に対するＡＣＫメッセージを前記ネットワークデバイスに送信する時点である、項目３７に記載の端末。
（項目３９）
前記処理ユニットは、前記第１の時点から開始する前記第１の予め設定された持続期間が期限切れになるとき、前記送受信機ユニットを、前記第１のビームに加え、前回用いられたビームまたは既定で用いられるビームを用いて、前記信号を伝送するよう構成するように具体的に構成されている、項目３６から３８のいずれか一項に記載の端末。
（項目４０）
前記処理ユニットは、前記送受信機ユニットが前記第１のビームで前記信号を受信する場合、前記送受信機ユニットを、前記第１のビームを用いて信号を受信するよう構成する、ようにさらに構成されている、または、
前記送受信機ユニットは、前記タイマーの前記タイミング時間が前記第１の予め設定された持続期間に到達した後、前記第１のビーム以外のビームで前記信号を受信する場合、前記ビーム構成情報に対する前記ＡＣＫメッセージを前記ネットワークデバイスに送信するようにさらに構成されており、並びに、前記処理ユニットは、前記送受信機ユニットが前記ＡＣＫメッセージを送信するとき、前記タイマーを開始する、および、前記タイマーの前記タイミング時間が前記第１の予め設定された持続期間に到達したとき、前記送受信機ユニットを、前記第１のビームに加え、前回用いられた前記ビームまたは既定で用いられる前記ビームを用いて信号を伝送するよう構成する、ようにさらに構成されている、または、
前記送受信機ユニットは、前記第１のビーム以外のビームで前記信号を受信する場合、エラー指標を前記ネットワークデバイスに送信するようにさらに構成されており、前記エラー指標は、前記ネットワークデバイスに対し、前記ビーム構成情報を再送信するよう命令するために用いられる、項目３９に記載の端末。
（項目４１）
前記処理ユニットは、第３の時点から開始する第２の予め設定された持続期間が期限切れになるとき、前記送受信機ユニットを、前記第１のビームを用いて信号を送信するよう構成する、ようにさらに構成されており、前記第３の時点は、前記タイマーの前記タイミング時間が前記予め設定された持続期間に到達する時点である、項目３９に記載の端末。
（項目４２）
前記信号は、上りリンクデータチャネル情報、上りリンク制御チャネル情報、上りリンクサウンディング信号、下りリンクデータチャネル情報、下りリンク制御チャネル情報、または下りリンクサウンディング信号を含む、項目３６から４１のいずれか一項に記載の端末。
（項目４３）
前記ビーム構成情報は、具体的に、前記端末のために、前記信号を伝送するために用いられるビームを構成するために用いられる、項目３６から４２のいずれか一項に記載の端末。
（項目４４）
前記ビーム構成情報は、具体的に、前記端末のために、前記信号を伝送するために用いられるビームを構成するために用いられることは、具体的に、伝送構成インデックスＴＣＩが、ＴＣＩビットを用いて前記端末に示されることであり、前記ＴＣＩビットはＴＣＩ状態に対応し、前記ＴＣＩ状態は、１または複数の参照信号と、データチャネル参照信号との間の疑似コロケーションＱＣＬ関係に対応する、項目４３に記載の端末。
（項目４５）
前記ＱＣＬ関係は、周波数リソース情報を含み、前記周波数リソース情報は、キャリア番号または帯域幅部分の番号を含む、項目４４に記載の端末。
（項目４６）
前記送受信機ユニットは、前記ビーム構成情報が前記ＴＣＩを示さないとき、初期アクセスに用いられるビームを用いて前記信号を伝送するよう、さらに構成されている、項目４４または４５に記載の端末。
（項目４７）
前記送受信機ユニットは、前記端末が明示的なビーム指標を受信しない、または暗黙的なビーム指標を受信するとき、前記端末によって既定で用いられる前記ビームを用いて前記信号を伝送するよう、さらに構成されている、項目３５から４２のいずれか一項に記載の端末。
（項目４８）
前記端末によって既定で用いられる前記ビームは、既定の送信ビームまたは既定の受信ビームを含む、項目４７に記載の端末。
（項目４９）
前記既定の受信ビームは、前記端末によって初期アクセスに用いられる同期信号ブロックのビームである、項目４８に記載の端末。
（項目５０）
前記第１の時点は、前記端末が前記ビーム構成情報に対する前記肯定応答ＡＣＫメッセージを前記ネットワークデバイスに送信する上りリンクスロット（ｙ）である、または、前記端末が前記ビーム構成情報に対する前記肯定応答ＡＣＫメッセージを前記ネットワークデバイスに送信する上りリンクスロット（ｚ）に対応する下りリンクスロット（ｙ）である、項目３６から４９のいずれか一項に記載の端末。
（項目５１）
前記処理ユニットは、前記上りリンクスロット（ｙ）において前記タイマーを開始し、および前記第１の予め設定された持続期間は前記タイマーの長さであり、ｘミリ秒またはｍ個の上りリンクスロットであり、ｍは正の整数である、または、
前記処理ユニットは、前記下りリンクスロット（ｙ）において前記タイマーを開始し、および前記第１の予め設定された持続期間は前記タイマーの長さであり、ｘミリ秒またはｍ個の下りリンクスロットであり、ｍは正の整数である、項目５０に記載の端末。
（項目５２）
前記送受信機ユニットが前記第１のビームを用いて前記信号を伝送する時点は、
【数１１６】
0006951025.tif 000123
であり、
【数１１７】
0006951025.tif 000124
は上りリンクスロット（ｙ）を示し、前記第１の時点であり、
【数１１８】
0006951025.tif 000125
は、前記第１の予め設定された持続期間であり、Ｎは１サブフレーム内のスロット数であり、
【数１１９】
0006951025.tif 000126
は、前記端末が前記肯定応答ＡＣＫメッセージを送信するために用いる上りリンクキャリアコンポーネント、上りリンク帯域幅部分または上りリンクフレームのシステムパラメータ
【数１２０】
0006951025.tif 000127
である、項目３６から４９のいずれか一項に記載の端末。
（項目５３）
前記送受信機ユニットが、前記第１のビームを用いて前記信号を伝送する時点は、
【数１２１】
0006951025.tif 000128
であり、
【数１２２】
0006951025.tif 000129
は、下りリンクスロット（ｙ）を示し、前記第１の時点であり、
【数１２３】
0006951025.tif 000130
は、前記端末が前記ビーム構成情報に対する前記肯定応答ＡＣＫメッセージを前記ネットワークデバイスに送信する上りリンクスロット（ｚ）の番号であり、
【数１２４】
0006951025.tif 000131
は、前記端末が物理下りリンク共有チャネルを受信するために用いる下りリンクキャリアコンポーネント、下りリンク帯域幅部分または下りリンクフレームのシステムパラメータであり、
【数１２５】
0006951025.tif 000132
は、前記端末が前記肯定応答ＡＣＫメッセージを前記ネットワークデバイスに送信するために用いる上りリンクキャリアコンポーネント、上りリンク帯域幅部分または上りリンクフレームのシステムパラメータであり、
【数１２６】
0006951025.tif 000133
は、
【数１２７】
0006951025.tif 000134
の結果の切り捨てを示し、
【数１２８】
0006951025.tif 000135
は、前記第１の予め設定された持続期間であり、Ｎは１サブフレーム内のスロット数であり、
【数１２９】
0006951025.tif 000136
は、前記端末が前記物理下り共有チャネルを受信するために用いる前記下りリンクキャリアコンポーネント、前記下りリンク帯域幅部分または前記下りリンクフレームの前記システムパラメータ
【数１３０】
0006951025.tif 000137
である、項目３６から４９のいずれか一項に記載の端末。
（項目５４）
前記第１の時点は、前記端末が前記ビーム構成情報に対する前記肯定応答ＡＣＫメッセージを前記ネットワークデバイスに送信するスロット（ｙ）であり、前記スロット（ｙ）は、上りリンクサブキャリア間隔および下りリンクサブキャリア間隔のうち小さい方に対応するシステムパラメータ
【数１３１】
0006951025.tif 000138
に対応するスロット（ｙ）である、項目３６から４９のいずれか一項に記載の端末。
（項目５５）
前記送受信機ユニットが前記第１のビームを用いて前記信号を伝送する時点は、
【数１３２】
0006951025.tif 000139
であり、
【数１３３】
0006951025.tif 000140
は、
【数１３４】
0006951025.tif 000141
および
【数１３５】
0006951025.tif 000142
のうちの小さい方であり、
【数１３６】
0006951025.tif 000143
は、前記端末が前記肯定応答ＡＣＫメッセージを送信するために用いる上りリンクキャリアコンポーネントまたは上りリンク帯域幅部分のシステムパラメータであり、
【数１３７】
0006951025.tif 000144
は、前記端末が物理下りリンク共有チャネルを受信するために用いる下りリンクキャリアコンポーネント、下りリンク帯域幅部分または下りリンクフレームのシステムパラメータである、項目３６から４９のいずれか一項に記載の端末。
（項目５６）
前記第１の時点は、前記端末が前記ビーム構成情報に対する前記肯定応答ＡＣＫメッセージを前記ネットワークデバイスに、最初にまたは最後に送信する上りリンクスロットである、または、前記端末が前記ビーム構成情報に対する前記肯定応答ＡＣＫメッセージを前記ネットワークデバイスに、最初にまたは最後に送信する上りリンクスロットに対応する下りリンクスロットである、項目３６から５５のいずれか一項に記載の端末。
（項目５７）
ビーム構成情報を端末に送信するように構成された送受信機ユニットであって、前記ビーム構成情報は、前記端末に対し、第１のビームを用いて信号を伝送するよう命令するために用いられる、送受信機ユニットと、
第１の時点から開始する予め設定された持続期間が期限切れになるとき、前記送受信機ユニットを、前記第１のビームに対応する第２のビームを用いて前記信号を伝送するよう構成するように構成された処理ユニットであって、前記第１の時点は、ネットワークデバイスが、前記ビーム構成情報に対する、前記端末によって送信される肯定応答ＡＣＫメッセージを受信する時点である、処理ユニットと、を備える、ネットワークデバイス。
（項目５８）
前記処理ユニットは、具体的に、前記第１の時点においてタイマーを開始する、および、前記タイマーのタイミング時間が前記予め設定された持続期間に到達したとき、前記送受信機ユニットを、前記第１のビームに対応する前記第２のビームを用いて前記信号を伝送するように構成する、ように構成されている、項目５７に記載のネットワークデバイス。
（項目５９）
前記送受信機ユニットは、さらに、
前記端末によって送信されるエラー指標を受信するように構成されており、前記エラー指標は、前記ネットワークデバイスに対し、前記ビーム構成情報を再送信するよう命令するために用いられ、前記エラー指標に従い、前記ビーム構成情報を前記端末に再送信するように構成されている、項目５７または５８に記載のネットワークデバイス。
（項目６０）
前記信号は、上りリンクデータチャネル情報、上りリンク制御チャネル情報、上りリンクサウンディング信号、下りリンクデータチャネル情報、下りリンク制御チャネル情報、または下りリンクサウンディング信号を含む、項目５７から５９のいずれか一項に記載のネットワークデバイス。
（項目６１）
前記ビーム構成情報は、具体的に、前記端末のために、前記信号を伝送するために用いられるビームを構成するために用いられる、項目５７から６０のいずれか一項に記載のネットワークデバイス。
（項目６２）
前記ビーム構成情報は、具体的に、前記端末のために、前記信号を伝送するために用いられるビームを構成するために用いられることは、具体的に、伝送構成インデックスＴＣＩが、ＴＣＩビットを用いて前記端末に示されることであり、前記ＴＣＩビットはＴＣＩ状態に対応し、前記ＴＣＩ状態は、１または複数の参照信号と、データチャネル参照信号との間の疑似コロケーションＱＣＬ関係に対応する、項目６１に記載のネットワークデバイス。
（項目６３）
前記ＱＣＬ関係は、周波数リソース情報を含み、前記周波数リソース情報は、キャリア番号または帯域幅部分の番号を含む、項目６２に記載のネットワークデバイス。
（項目６４）
前記第１の時点は、前記ネットワークデバイスが前記ビーム構成情報に対する、前記端末によって送信される前記肯定応答ＡＣＫメッセージを受信する下りリンクスロット（ｙ）である、または、前記端末が前記ビーム構成情報に対する前記肯定応答ＡＣＫメッセージを送信する上りリンクスロット（ｙ）である、項目５７から６３のいずれか一項に記載のネットワークデバイス。
（項目６５）
前記処理ユニットは、前記上りリンクスロット（ｙ）において前記タイマーを開始し、および前記第１の予め設定された持続期間は前記タイマーの長さであり、ｘミリ秒またはｍ個の上りリンクスロットであり、ｍは正の整数である、または、
前記処理ユニットは、前記下りリンクスロット（ｙ）において前記タイマーを開始し、および前記第１の予め設定された持続期間は前記タイマーの長さであり、ｘミリ秒またはｍ個の下りリンクスロットであり、ｍは正の整数である、項目６４に記載のネットワークデバイス。
（項目６６）
前記送受信機ユニットが前記第１のビームに対応する前記第２のビームを用いて前記信号を伝送する時点は、
【数１３８】
0006951025.tif 000145
であり、
【数１３９】
0006951025.tif 000146
は上りリンクスロット（ｙ）を示し、前記第１の時点であり、
【数１４０】
0006951025.tif 000147
は、前記第１の予め設定された持続期間であり、Ｎは１サブフレーム内のスロット数であり、
【数１４１】
0006951025.tif 000148
は、前記端末が前記肯定応答ＡＣＫメッセージを送信するために用いる上りリンクキャリアコンポーネント、上りリンク帯域幅部分または上りリンクフレームのシステムパラメータ
【数１４２】
0006951025.tif 000149
である、項目５７から６３のいずれか一項に記載のネットワークデバイス。
（項目６７）
前記送受信機ユニットが、前記第１のビームに対応する前記第２のビームを用いて前記信号を伝送する時点は、
【数１４３】
0006951025.tif 000150
であり、
【数１４４】
0006951025.tif 000151
は、下りリンクスロット（ｙ）を示し、前記第１の時点であり、
【数１４５】
0006951025.tif 000152
は、前記端末が前記ビーム構成情報に対する前記肯定応答ＡＣＫメッセージを前記ネットワークデバイスに送信する上りリンクスロット（ｚ）の番号であり、
【数１４６】
0006951025.tif 000153
は、前記端末が物理下りリンク共有チャネルを受信するために用いる下りリンクキャリアコンポーネント、下りリンク帯域幅部分または下りリンクフレームのシステムパラメータであり、
【数１４７】
0006951025.tif 000154
は、前記端末が前記肯定応答ＡＣＫメッセージを前記ネットワークデバイスに送信するために用いる上りリンクキャリアコンポーネント、上りリンク帯域幅部分または上りリンクフレームのシステムパラメータであり、
【数１４８】
0006951025.tif 000155
は、
【数１４９】
0006951025.tif 000156
の結果の切り捨てを示し、
【数１５０】
0006951025.tif 000157
は、前記第１の予め設定された持続期間であり、Ｎは１サブフレーム内のスロット数であり、
【数１５１】
0006951025.tif 000158
は、前記端末が前記物理下り共有チャネルを受信するために用いる前記下りリンクキャリアコンポーネント、前記下りリンク帯域幅部分または前記下りリンクフレームの前記システムパラメータ
【数１５２】
0006951025.tif 000159
である、項目５７から６３のいずれか一項に記載のネットワークデバイス。
（項目６８）
前記第１の時点は、前記送受信機ユニットが前記ビーム構成情報に対する、前記端末によって前記送受信機ユニットに送信される前記肯定応答ＡＣＫメッセージを受信するスロット（ｙ）であり、前記スロット（ｙ）は、上りリンクサブキャリア間隔および下りリンクサブキャリア間隔のうち小さい方に対応するスロット（ｙ）である、項目５７から６３のいずれか一項に記載のネットワークデバイス。
（項目６９）
前記送受信機ユニットが前記第１のビームを用いて前記信号を伝送する時点は、
【数１５３】
0006951025.tif 000160
であり、
【数１５４】
0006951025.tif 000161
は、
【数１５５】
0006951025.tif 000162
および
【数１５６】
0006951025.tif 000163
のうちの小さい方であり、
【数１５７】
0006951025.tif 000164
は、前記端末が前記肯定応答ＡＣＫメッセージを送信するために用いる上りリンクキャリアコンポーネントまたは上りリンク帯域幅部分のシステムパラメータであり、
【数１５８】
0006951025.tif 000165
は、前記端末が物理下りリンク共有チャネルを受信するために用いる下りリンクキャリアコンポーネント、下りリンク帯域幅部分または下りリンクフレームのシステムパラメータである、項目５７から６３のいずれか一項に記載のネットワークデバイス。
（項目７０）
前記第１の時点は、前記送受信機ユニットが、前記ビーム構成情報に対する、前記端末によって送信される前記肯定応答ＡＣＫメッセージを、最初にまたは最後に受信する上りリンクスロットである、または、前記送受信機ユニットが、前記ビーム構成情報に対する、前記端末によって送信される前記肯定応答ＡＣＫメッセージを、最初にまたは最後に受信する上りリンクスロットに対応する下りリンクスロットである、項目５７から６９のいずれか一項に記載のネットワークデバイス。
（項目７１）
プロセッサおよび送受信機を備える通信デバイスであって、前記プロセッサは、項目１から３５のいずれか一項に記載の前記ビーム構成方法を実行するように構成されており、前記送受信機は、前記プロセッサの制御の下、別の通信デバイスと通信するように構成されている、通信デバイス。
（項目７２）
コンピュータ可読記憶媒体であって、
前記コンピュータ可読記憶媒体は、コンピュータプログラムを格納し、前記コンピュータプログラムがコンピュータ上で実行されると、前記コンピュータが、項目１から３５のいずれか一項に記載のビーム構成方法を実行できるようにする、コンピュータ可読記憶媒体。
（項目７３）
コンピュータプログラムプロダクトであって、
前記コンピュータプログラムプロダクトがコンピュータ上で実行されると、項目１から３５のいずれか一項に記載のビーム構成方法が実行されることを可能にする、コンピュータプログラムプロダクト。
【図１】
0006951025.tif 000282
【図２】
0006951025.tif 000283
【図３】
0006951025.tif 000284
【図４】
0006951025.tif 000285
【図５】
0006951025.tif 000286
【図６】
0006951025.tif 000287
【図７】
0006951025.tif 000288
【図８】
0006951025.tif 000289
【図９】
0006951025.tif 000290
【図１０】
0006951025.tif 000291
【図１１】
0006951025.tif 000292
【図１２】
0006951025.tif 000293
【図１３】
0006951025.tif 000294
【図１４】
0006951025.tif 000295
【図１５】
0006951025.tif 000296
【図１６】
0006951025.tif 000297
【図１７】
0006951025.tif 000298
【図１８】
0006951025.tif 000299
【図１９】
0006951025.tif 000300
【図２０】
0006951025.tif 000301
【図２１】
0006951025.tif 000302
【図２２】
0006951025.tif 000303
【図２３】
0006951025.tif 000304
【図２４】
0006951025.tif 000305
【図２５】
0006951025.tif 000306
【図２６】
0006951025.tif 000307